(57)【要約】  ＷｉＦｉネットワークにアクセスするための方法及び装置が、２又はより多くのＷｉＦｉネットワークに同時に接続される端末をサポートするために使用され、従って、ＷｉＦｉネットワークは、より安全に、より円滑な方式で適用される。方法は端末に適用され、端末は、Ｎ個のＷｉＦｉアクセス回路及び少なくとも１つのプロセッサを備え、少なくとも１つのプロセッサは、Ｍ個のコンテナを形成するためにソフトウェアプログラムを実行するように構成され、１つのコンテナは、１つのオペレーティングシステムと同等であり得て、異なるコンテナの間で切り替え動作が実行され得て、各コンテナは、１つのＷｉＦｉネットワークアクセスサービスに対応し、Ｍ個のコンテナは、同時に動作することが可能であり、異なるコンテナの動作中の異なるＷｉＦｉネットワークアクセスサービスのタスク及びデータは互いから隔離され、Ｍ及びＮは、２以上の自然数である。
2019520726.tif 000002
【特許請求の範囲】
【請求項１】
ワイヤレスフィデリティＷｉＦｉネットワークにアクセスするための方法であって、
前記方法は端末に適用され、前記端末は、Ｎ個のＷｉＦｉアクセス回路及び少なくとも１つのプロセッサを有し、前記少なくとも１つのプロセッサは、Ｍ個のコンテナを形成するためにソフトウェアプログラムを実行するように構成され、各コンテナは、１つのＷｉＦｉネットワークアクセスサービスに対応し、前記Ｍ個のコンテナは、同時に動作可能であり、異なるコンテナの動作中の異なるＷｉＦｉネットワークアクセスサービスのタスク及びデータは互いから隔離され、前記方法は、
前記Ｍ個のコンテナのうち第１コンテナが動作する場合、前記端末が、前記Ｎ個のＷｉＦｉアクセス回路のうち第１ＷｉＦｉアクセス回路を使用することによって、第１ＷｉＦｉネットワークにアクセスする段階と、
前記端末が、前記第１コンテナの動作から、前記Ｍ個のコンテナのうち第２コンテナの動作に切り替わるとき、前記端末が、前記Ｎ個のＷｉＦｉアクセス回路のうち第２ＷｉＦｉアクセス回路を使用することによって、第２ＷｉＦｉネットワークにアクセスする段階であって、前記第１コンテナはバックグラウンド実行方式で動作を継続し、前記端末は、前記第１ＷｉＦｉアクセス回路を使用して前記第１ＷｉＦｉネットワークにアクセスすることを継続する、段階と
を備え、
Ｍ及びＮは２以上の自然数である、
方法。
【請求項２】
第１コンテナが動作する場合、前記端末が、前記Ｎ個のＷｉＦｉアクセス回路のうち第１ＷｉＦｉアクセス回路を使用することによって第１ＷｉＦｉネットワークにアクセスする前記段階は、
前記端末が、コンテナとＷｉＦｉアクセス回路との間の予め設定されたマッピング関係に従って、前記Ｎ個のＷｉＦｉアクセス回路のうち前記第１コンテナに対応する前記第１ＷｉＦｉアクセス回路を使用することによって、前記第１ＷｉＦｉネットワークにアクセスする段階
を含み、
前記端末が前記第２コンテナの動作に切り替わるとき、前記端末が、前記Ｎ個のＷｉＦｉアクセス回路のうち第２ＷｉＦｉアクセス回路を使用することによって第２ＷｉＦｉネットワークにアクセスする前記段階は、
前記端末が、前記マッピング関係に従って、前記Ｎ個のＷｉＦｉアクセス回路のうち前記第２コンテナに対応する前記第２ＷｉＦｉアクセス回路を使用することによって、前記第２ＷｉＦｉネットワークにアクセスする段階
を含む、
請求項１に記載の方法。
【請求項３】
前記端末は更に、ＷｉＦｉプロセッサを備え、
前記端末が、コンテナとＷｉＦｉアクセス回路との間の予め設定されたマッピング関係に従って、前記Ｎ個のＷｉＦｉアクセス回路のうち前記第１コンテナに対応する前記第１ＷｉＦｉアクセス回路を使用することによって、前記第１ＷｉＦｉネットワークにアクセスする前記段階は、
前記端末の前記ＷｉＦｉプロセッサが、コンテナとＷｉＦｉアクセス回路との間の前記予め設定されたマッピング関係に従って、前記Ｎ個のＷｉＦｉアクセス回路のうち前記第１コンテナに対応する前記第１ＷｉＦｉアクセス回路を使用することによって、前記第１ＷｉＦｉネットワークにアクセスする段階
を含み、
前記端末が、前記マッピング関係に従って、前記Ｎ個のＷｉＦｉアクセス回路のうち前記第２コンテナに対応する前記第２ＷｉＦｉアクセス回路を使用することによって、前記第２ＷｉＦｉネットワークにアクセスする前記段階は、
前記端末の前記ＷｉＦｉプロセッサが、前記マッピング関係に従って、前記Ｎ個のＷｉＦｉアクセス回路のうち前記第２コンテナに対応する前記第２ＷｉＦｉアクセス回路を使用することによって、前記第２ＷｉＦｉネットワークにアクセスする段階
を含む、
請求項２に記載の方法。
【請求項４】
前記Ｎ個のＷｉＦｉアクセス回路のうち前記第１コンテナに対応する前記第１ＷｉＦｉアクセス回路を使用することによって、前記第１ＷｉＦｉネットワークがアクセスされるとき、前記方法は更に、
前記端末の前記ＷｉＦｉプロセッサが、前記第１ＷｉＦｉネットワークへのアクセスに関する、チャネルリソーススケジューリング、媒体アクセス制御又は暗号化／復号化のうちの少なくとも１つを実行する段階を備え、
前記Ｎ個のＷｉＦｉアクセス回路のうち前記第２コンテナに対応する前記第２ＷｉＦｉアクセス回路を使用することによって、前記第２ＷｉＦｉネットワークがアクセスされるとき、前記方法は更に、前記端末の前記ＷｉＦｉプロセッサが、前記第２ＷｉＦｉネットワークへのアクセスに関する、チャネルリソーススケジューリング、媒体アクセス制御又は暗号化／復号化のうちの少なくとも１つを実行する段階を備える、
請求項３に記載の方法。
【請求項５】
各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項１から４のいずれか一項に記載の方法。
【請求項６】
Ｍ及びＮの両方は２に等しい、請求項１から５のいずれか一項に記載の方法。
【請求項７】
ＷｉＦｉネットワークにアクセスするための方法であって、前記方法は端末に適用され、前記端末は、Ｎ個のＷｉＦｉアクセス回路及び少なくとも１つのプロセッサを備え、前記少なくとも１つのプロセッサは、コンテナを形成するためにソフトウェアプログラムを実行するように構成され、前記コンテナは、第１ＷｉＦｉネットワークへのアクセスサービス及び第２ＷｉＦｉネットワークへのアクセスサービスの両方をサポートし、前記方法は、
前記端末が、前記第１ＷｉＦｉネットワークにアクセスするためのアクセス要求を受信したとき、前記Ｎ個のＷｉＦｉアクセス回路のうち第１ＷｉＦｉアクセス回路を使用することによって、前記第１ＷｉＦｉネットワークにアクセスする段階と、
前記第１ＷｉＦｉアクセス回路を使用して前記第１ＷｉＦｉネットワークにアクセスするという状況下で、前記端末が、前記第２ＷｉＦｉネットワークにアクセスするためのアクセス要求を受信した場合、前記端末が、前記Ｎ個のＷｉＦｉアクセス回路のうち第２ＷｉＦｉアクセス回路を使用することによって、前記第２ＷｉＦｉネットワークにアクセスする段階と、
前記端末が、第１ＷｉＦｉネットワークアクセス識別子及び第２ＷｉＦｉネットワークアクセス識別子を、前記コンテナに対応する表示インタフェースに同期させて表示させる段階であって、前記第１ＷｉＦｉネットワークアクセス識別子は、前記第１ＷｉＦｉネットワークがアクセスされることを表し、前記第２ＷｉＦｉネットワークアクセス識別子は、前記第２ＷｉＦｉネットワークがアクセスされることを表す、段階と
を備え、
Ｎは２以上の自然数である、
方法。
【請求項８】
前記端末が、前記第１ＷｉＦｉネットワークの接続信号強度、及び、前記第２ＷｉＦｉネットワークの接続信号強度を前記表示インタフェースに同期させて表示する段階を更に備える、請求項７に記載の方法。
【請求項９】
前記端末が、前記第１ＷｉＦｉネットワーク及び前記第２ＷｉＦｉネットワークにアクセスする前記段階の後に、前記方法は更に、
前記端末が、検出された、ユーザによって入力されたＷｉＦｉネットワーク接続方式に従って、前記第１ＷｉＦｉネットワーク又は前記第２ＷｉＦｉネットワークのうちの少なくとも１つを選択して、データサービスを搬送させる段階
を備える、請求項７又は８に記載の方法。
【請求項１０】
前記端末は更にＷｉＦｉプロセッサを備え、前記方法は更に、
前記端末の前記ＷｉＦｉプロセッサが、前記第１ＷｉＦｉネットワーク及び前記第２ＷｉＦｉネットワークへのアクセスに関する、チャネルリソーススケジューリング、媒体アクセス制御、又は、暗号化／復号化のうちの少なくとも１つを実行する段階
を備える、請求項７から９のいずれか一項に記載の方法。
【請求項１１】
前記コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項７から１０のいずれか一項に記載の方法。
【請求項１２】
ワイヤレスフィデリティＷｉＦｉネットワークにアクセスするための装置であって、
前記装置は、同時に動作可能なＭ個のコンテナ及びＷｉＦｉモジュールを備え、各コンテナは、１つのＷｉＦｉネットワークアクセスサービスに対応し、異なるコンテナの動作中の異なるＷｉＦｉネットワークアクセスサービスのタスク及びデータは互いから隔離され、前記Ｍ個のコンテナは第１コンテナ及び第２コンテナを含み、
前記ＷｉＦｉモジュールは、前記第１コンテナが動作する場合、第１ＷｉＦｉアクセス回路を使用することによって第１ＷｉＦｉネットワークにアクセスするように構成され、更に、前記装置が前記第１コンテナの動作から、前記第２コンテナの動作に切り替わるとき、前記第２ＷｉＦｉアクセス回路を使用することによって、第２ＷｉＦｉネットワークにアクセスするように構成され、
前記第１コンテナは更に、前記ＷｉＦｉモジュールが、前記第２ＷｉＦｉアクセス回路を使用することによって、前記第２ＷｉＦｉネットワークにアクセスするとき、バックグラウンド実行方式で動作を継続するように構成され、前記ＷｉＦｉモジュールは更に、前記第１ＷｉＦｉアクセス回路を使用して前記第１ＷｉＦｉネットワークにアクセスすることを継続するように構成され、
Ｍ及びＮは、２以上の自然数である、
装置。
【請求項１３】
前記ＷｉＦｉモジュールは、コンテナとＷｉＦｉアクセス回路との間の予め設定されたマッピング関係に従って、前記第１コンテナに対応する前記第１ＷｉＦｉアクセス回路を使用することによって、前記第１ＷｉＦｉネットワークにアクセスし、前記マッピング関係に従って、前記第２コンテナに対応する前記第２ＷｉＦｉアクセス回路を使用することによって、前記第２ＷｉＦｉネットワークにアクセスするように構成される、請求項１２に記載の装置。
【請求項１４】
前記ＷｉＦｉモジュールは更に、
前記第１コンテナに対応する前記第１ＷｉＦｉアクセス回路を使用することによって、前記第１ＷｉＦｉネットワークにアクセスするとき、前記第１ＷｉＦｉネットワークへのアクセスに関する、チャネルリソーススケジューリング、媒体アクセス制御、又は、暗号化／復号化のうちの少なくとも１つを実行するように、及び、
前記第２コンテナに対応する前記第２ＷｉＦｉアクセス回路を使用することによって、前記第２ＷｉＦｉネットワークにアクセスするとき、前記第２ＷｉＦｉネットワークへのアクセスに関する、チャネルリソーススケジューリング、媒体アクセス制御、又は、暗号化／復号化のうちの少なくとも１つを実行するように
構成される、請求項１３に記載の装置。
【請求項１５】
各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項１２から１４のいずれか一項に記載の装置。
【請求項１６】
ワイヤレスフィデリティＷｉＦｉネットワークにアクセスするための装置であって、前記装置は、第１ＷｉＦｉネットワークへのアクセスサービス及び第２ＷｉＦｉネットワークへのアクセスサービスの両方をサポートするコンテナと、ＷｉＦｉモジュールとを備え、前記コンテナは表示モジュールを含み、
前記ＷｉＦｉモジュールは、前記第１ＷｉＦｉネットワークにアクセスするためのアクセス要求が受信されたとき、第１ＷｉＦｉアクセス回路を使用することによって前記第１ＷｉＦｉネットワークにアクセスするように構成され、更に、前記第１ＷｉＦｉアクセス回路を使用して前記第１ＷｉＦｉネットワークにアクセスするという状況下で、前記第２ＷｉＦｉネットワークにアクセスするためのアクセス要求が受信されたとき、前記第２ＷｉＦｉアクセス回路を使用することによって前記第２ＷｉＦｉネットワークにアクセスするように構成され、
前記表示モジュールは、前記ＷｉＦｉモジュールが前記第１ＷｉＦｉネットワーク及び前記第２ＷｉＦｉネットワークにアクセスした後に、第１ＷｉＦｉネットワークアクセス識別子及び第２ＷｉＦｉネットワークアクセス識別子を、前記コンテナに対応する表示インタフェースに同期させて表示するように構成され、前記第１ＷｉＦｉネットワークアクセス識別子は、前記第１ＷｉＦｉネットワークがアクセスされることを表し、前記第２ＷｉＦｉネットワークアクセス識別子は、前記第２ＷｉＦｉネットワークがアクセスされることを表す、
装置。
【請求項１７】
前記表示モジュールは更に、前記第１ＷｉＦｉネットワークの接続信号強度及び前記第２ＷｉＦｉネットワークの接続信号強度を前記表示インタフェースに同期させて表示するように構成される、請求項１６に記載の装置。
【請求項１８】
前記装置又は前記コンテナは更に、サービス分配モジュールを含み、前記サービス分配モジュールは、前記ＷｉＦｉモジュールが前記第１ＷｉＦｉネットワーク及び前記第２ＷｉＦｉネットワークにアクセスした後に、検出された、ユーザによって入力されたＷｉＦｉネットワーク接続方式に従って、前記第１ＷｉＦｉネットワーク又は前記第２ＷｉＦｉネットワークのうちの少なくとも１つを選択して、データサービスを搬送させるように構成される、請求項１６又は１７に記載の装置。
【請求項１９】
前記ＷｉＦｉモジュールは更に、前記第１ＷｉＦｉネットワーク及び前記第２ＷｉＦｉネットワークへのアクセスに関する、チャネルリソーススケジューリング、媒体アクセス制御、又は、暗号化／復号化のうちの少なくとも１つを実行するように構成される、請求項１６、１７又は１８のいずれか一項に記載の装置。
【請求項２０】
前記コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項１６から１９のいずれか一項に記載の装置。
【発明の詳細な説明】
【技術分野】
【０００１】
本願は、２０１６年５月２７日に中国特許庁に出願された、「ＷｉＦｉネットワークにアクセスするための方法及び装置」と題する中国特許出願第２０１６１０３７０６４３．４号への優先権を主張するものであり、その全体は参照により本明細書に組み込まれる。
【０００２】
本願は、ワイヤレスフィデリティ（英語名：Ｗｉｒｅｌｅｓｓ‐Ｆｉｄｅｌｉｔｙ、省略名：ＷｉＦｉ）技術の分野に関し、特に、ＷｉＦｉネットワークにアクセスするための方法及び装置に関する。
【背景技術】
【０００３】
ＷｉＦｉは、端末がワイヤレスローカルエリアネットワーク（英語名：ＷＬＡＮ）に接続されることを可能にし、概して、２．４ＧＨｚ又は５ＧＨｚの無線周波数帯域で動作する。ブルートゥース（登録商標）技術と同様に、ＷｉＦｉ技術も短距離無線通信技術であり、ネットワーク伝送規格であり、既に日常生活に広く適用されている。例えば、家、空港、コーヒーショップ、ショッピングモールなどのエリアにおいて、ユーザは、モバイル電子デバイス（すなわち端末）を使用してＷｉＦｉアクセスポイント（英語名：Ａｃｃｅｓｓ  Ｐｏｉｎｔ、省略名：ＡＰ）又はＷｉＦｉホットスポットにアクセスすることによって、高速ネットワークを体験できる。
【０００４】
場合によっては、使用中に端末が２つのＷｉＦｉ（登録商標）ＡＰに同時にアクセスする必要があり得て、換言すれば、端末はＷｉＦｉデュアルコネクティビティの要件を有する。現在、端末は、２つの独立したＷｉＦｉ接続チャネルを使用することによって、２つの異なるＷｉＦｉネットワークに接続され得て、２つのＷｉＦｉネットワークは、同一の周波数帯域、又は、異なる無線周波数帯域で動作する。例えば、端末に接続された１つのＷｉＦｉネットワークは、２．４ＧＨｚの無線周波数帯域で動作し、他のＷｉＦｉネットワークは、５ＧＨｚの無線周波数帯域で動作する。あるいは、２つのＷｉＦｉネットワークは各々、５ＧＨｚの無線周波数帯域で動作する。そのようなＷｉＦｉデュアルコネクティビティ技術により、データトラフィックの改善、複数の種類の適用のサポート、及び、同様のことが可能となる。
【０００５】
既存のＷｉＦｉデュアルコネクティビティ技術は主に、端末ハードウェア設計に基づいて、適切なソフトウェア層設計無しで実装される。従って、ＷｉＦｉデュアルコネクティビティをサポートする適切なソフトウェアアーキテクチャをいかにして設計するかが課題となっている。
【発明の概要】
【０００６】
本願の実施形態は、２又はより多くのＷｉＦｉネットワークに同時に接続される端末をサポートするように、端末がＷｉＦｉネットワークにアクセスするための方法及び装置を提供し、従って、ＷｉＦｉネットワークはより安全に、及び、より円滑な方式で適用される。
【０００７】
本願の実施形態は、以下の具体的な技術的解決手段を提供する。
【０００８】
一態様によれば、本願の実施形態は、ＷｉＦｉネットワークにアクセスするための方法を提供する。方法は端末に適用され、端末は、Ｎ個のＷｉＦｉアクセス回路及び少なくとも１つのプロセッサを備え、少なくとも１つのプロセッサは、Ｍ個のコンテナを形成するためにソフトウェアプログラムを実行するように構成され、１つのコンテナは、１つのオペレーティングシステムと同等であり得て、異なるコンテナの間で切り替え動作が実行され得て、各コンテナは、１つのＷｉＦｉネットワークアクセスサービスに対応し、Ｍ個のコンテナは、同時に動作することが可能であり、異なるコンテナの動作中の異なるＷｉＦｉネットワークアクセスサービスのタスク及びデータは互いから隔離され、Ｍ及びＮは、２以上の自然数である。方法は、Ｍ個のコンテナのうち第１コンテナが動作する場合、端末が、Ｎ個のＷｉＦｉアクセス回路のうち第１ＷｉＦｉアクセス回路を使用することによって、第１ＷｉＦｉネットワークにアクセスする段階と、端末が第１コンテナの動作から、Ｍ個のコンテナのうち第２コンテナの動作に切り替わるとき、端末が、Ｎ個のＷｉＦｉアクセス回路のうち第２ＷｉＦｉアクセス回路を使用することによって、第２ＷｉＦｉネットワークにアクセスする段階であって、第１コンテナがバックグラウンド実行方式で動作を継続し、端末は、第１ＷｉＦｉアクセス回路を使用して第１ＷｉＦｉネットワークにアクセスすることを継続する、段階とを備える。このようにして、第２コンテナの動作に切り替わるとき、端末は、第２ＷｉＦｉアクセス回路を使用して、第２ＷｉＦｉネットワークにアクセスする。第１ＷｉＦｉアクセス回路及び第２ＷｉＦｉアクセス回路は互い独立し、従って、端末はバックグラウンドにおいて第１ＷｉＦｉアクセス回路を使用して第１ＷｉＦｉネットワークにアクセスすることを継続でき、サービスは中断されず、それにより、ＷｉＦｉネットワークアプリケーションは、より安全になり、サービスはより円滑になり、ユーザエクスペリエンスが改善する。
【０００９】
可能な設計において、第１コンテナが動作する場合、端末が、Ｎ個のＷｉＦｉアクセス回路のうち第１ＷｉＦｉアクセス回路を使用することによって第１ＷｉＦｉネットワークにアクセスする段階は、端末が、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスする段階を含み、端末が第２コンテナの動作に切り替わるとき、端末が、Ｎ個のＷｉＦｉアクセス回路のうち第２ＷｉＦｉアクセス回路を使用することによって第２ＷｉＦｉネットワークにアクセスする段階は、端末が、マッピング関係に従って、Ｎ個のＷｉＦｉアクセス回路のうち第２コンテナに対応する第２ＷｉＦｉアクセス回路を使用することによって、第２ＷｉＦｉネットワークにアクセスする段階を含む。
【００１０】
可能な設計において、端末は更に、ＷｉＦｉプロセッサを備え、端末が、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスする段階は、端末のＷｉＦｉプロセッサが、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスする段階を含み、端末が、マッピング関係に従って、Ｎ個のＷｉＦｉアクセス回路のうち第２コンテナに対応する第２ＷｉＦｉアクセス回路を使用することによって、第２ＷｉＦｉネットワークにアクセスする段階は、端末のＷｉＦｉプロセッサが、マッピング関係に従って、Ｎ個のＷｉＦｉアクセス回路のうち第２コンテナに対応する第２ＷｉＦｉアクセス回路を使用することによって、第２ＷｉＦｉネットワークにアクセスする段階を含む。このようにして、端末が異なるコンテナの動作の間で切り替わるとき、ＷｉＦｉプロセッサは、異なるＷｉＦｉアクセス回路を使用して、異なるＷｉＦｉネットワークにアクセスし、それにより、フォアグラウンドオペレーティングシステムとバックグラウンドオペレーティングシステムとの間の切り替え動作中に、ハードウェア設計の欠陥に起因するＷｉＦｉネットワークの中断が発生しない。
【００１１】
可能な設計において、Ｎ個のＷｉＦｉアクセス回路のうち第１コンテナに対応する第１ＷｉＦｉアクセス回路を使用することによって、第１ＷｉＦｉネットワークがアクセスされるとき、方法は更に、端末のＷｉＦｉプロセッサが、第１ＷｉＦｉネットワークへのアクセスに関する、チャネルリソーススケジューリング、媒体アクセス制御又は暗号化／復号化のうちの少なくとも１つを実行する段階を備え、Ｎ個のＷｉＦｉアクセス回路のうち第２コンテナに対応する第２ＷｉＦｉアクセス回路を使用することによって、第２ＷｉＦｉネットワークがアクセスされるとき、方法は更に、端末のＷｉＦｉプロセッサが、第２ＷｉＦｉネットワークへのアクセスに関する、チャネルリソーススケジューリング、媒体アクセス制御又は暗号化／復号化のうちの少なくとも１つを実行する段階とを備える。
【００１２】
可能な設計において、各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００１３】
可能な設計において、Ｍ及びＮの両方は２に等しい。
【００１４】
別の態様によれば、本願の実施形態は、ＷｉＦｉネットワークにアクセスするための方法を提供する。方法は端末に適用され、端末は、Ｎ個のＷｉＦｉアクセス回路及び少なくとも１つのプロセッサを備え、少なくとも１つのプロセッサは、コンテナを形成するためにソフトウェアプログラムを実行するように構成され、コンテナはまた、オペレーティングシステムと称され得て、コンテナは、第１ＷｉＦｉネットワークアクセスサービス及び第２ＷｉＦｉネットワークアクセスサービスの両方をサポートする。方法は、第１ＷｉＦｉネットワークにアクセスするためのアクセス要求を受信するとき、端末が、Ｎ個のＷｉＦｉアクセス回路のうち第１ＷｉＦｉアクセス回路を使用することによって、第１ＷｉＦｉネットワークにアクセスする段階と、第１ＷｉＦｉアクセス回路を使用して第１ＷｉＦｉネットワークにアクセスするという状況下で、第２ＷｉＦｉネットワークにアクセスするためのアクセス要求を端末が受信するとき、端末が、Ｎ個のＷｉＦｉアクセス回路のうち第２ＷｉＦｉアクセス回路を使用することによって、第２ＷｉＦｉネットワークにアクセスする段階と、端末が、第１ＷｉＦｉネットワークアクセス識別子及び第２ＷｉＦｉネットワークアクセス識別子を、コンテナに対応する表示インタフェース上に同期させて表示する段階であって、第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す、段階とを備え、Ｎは２以上の自然数である。上述の方法によれば、１個の端末は、２又はより多くの異なるＷｉＦｉ（登録商標）ＡＰに同時に接続することができ、すなわち、ＷｉＦｉデュアルスタンバイ又はマルチスタンバイ機能が実装され、それにより、ＷｉＦｉネットワークは２つのＷｉＦｉ（登録商標）ＡＰ間での切り替え動作中に中断されず、サービスはより円滑になり、ユーザエクスペリエンスが改善する。新しいインタフェース方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式を実装できる。
【００１５】
可能な設計において、端末が第１ＷｉＦｉネットワーク及び第２ＷｉＦｉネットワークにアクセスした後に、端末は、第１ＷｉＦｉネットワークの接続信号強度、及び、第２ＷｉＦｉネットワークの接続信号強度を表示インタフェース上に同期させて表示する。
【００１６】
可能な設計において、端末が第１ＷｉＦｉネットワーク及び第２ＷｉＦｉネットワークにアクセスした後に、方法は更に、検出された、ユーザによって入力されたＷｉＦｉネットワーク接続方式に従って、端末が、第１ＷｉＦｉネットワーク又は第２ＷｉＦｉネットワークのうちの少なくとも１つを選択して、データサービスを搬送させる段階を備える。
【００１７】
可能な設計において、ＷｉＦｉネットワーク接続方式は、ＷｉＦｉネットワークを選択して、データサービスを搬送させるために、ユーザによって使用される。端末が第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させる。あるいは、端末は、検出された、ユーザによって入力されたＷｉＦｉネットワーク接続方式に従って、ユーザによって指定されたＷｉＦｉネットワークを選択して、データサービスを搬送させる。あるいは、端末は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。このようにして、好ましいＷｉＦｉが選択され、取得されたＷｉＦｉネットワークのサービスがより良くなり、ＷｉＦｉマルチシステムコンカレンスを実装するために複数のＷｉＦｉシステムが使用され、異なるＷｉＦｉシステムが異なるサービスに使用され、それにより、すべての異なるサービスは、より円滑なネットワークサービスを取得できる。
【００１８】
可能な設計において、端末が、ロードバランシングポリシーに従って、第１ＷｉＦｉネットワーク及び第２ＷｉＦｉネットワークを選択して、データサービスを共に搬送させることは、端末が、第１ＷｉＦｉネットワーク及び第２ＷｉＦｉネットワークのトラフィックバランシングポリシーに従って、第１ＷｉＦｉネットワーク及び第２ＷｉＦｉネットワークを使用して、データサービスを搬送することを含む。あるいは、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用して、データサービスを搬送する。このように、異なるＷｉＦｉネットワークがデータサービスを共に搬送するとき、トラフィックをバランシングできる。
【００１９】
可能な設計において、端末は更にＷｉＦｉプロセッサを備え、方法は更に、端末のＷｉＦｉプロセッサが、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行する段階を備える。
【００２０】
可能な設計において、コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００２１】
更に別の態様によれば、本願の実施形態は、ＷｉＦｉネットワークにアクセスするための装置を提供する。装置は、同時に動作可能なＭ個のコンテナ及びＷｉＦｉモジュールを備え、各コンテナは、１つのＷｉＦｉネットワークアクセスサービスに対応し、異なるコンテナの動作中の異なるＷｉＦｉネットワークアクセスサービスのタスク及びデータは互いから隔離され、Ｍ個のコンテナは第１コンテナ及び第２コンテナを含み、ＷｉＦｉモジュールは、第１コンテナが動作する場合、第１ＷｉＦｉアクセス回路を使用することによって第１ＷｉＦｉネットワークにアクセスするように構成され、更に、装置が第１コンテナの動作から、第２コンテナの動作に切り替わるとき、第２ＷｉＦｉアクセス回路を使用することによって、第２ＷｉＦｉネットワークにアクセスするように構成され、第１コンテナは更に、ＷｉＦｉモジュールが、第２ＷｉＦｉアクセス回路を使用することによって、第２ＷｉＦｉネットワークにアクセスするとき、バックグラウンド実行方式で動作を継続するように構成され、ＷｉＦｉモジュールは更に、第１ＷｉＦｉアクセス回路を使用して第１ＷｉＦｉネットワークにアクセスすることを継続するように構成され、Ｍ及びＮは、２以上の自然数である。このようにして、端末は、第２コンテナの動作に切り替わるとき、第２ＷｉＦｉアクセス回路を使用して第２ＷｉＦｉネットワークにアクセスする。第１ＷｉＦｉアクセス回路及び第２ＷｉＦｉアクセス回路は互い独立し、従って、端末はバックグラウンドにおいて第１ＷｉＦｉアクセス回路を使用して第１ＷｉＦｉネットワークにアクセスすることを継続でき、サービスは中断されず、それにより、ＷｉＦｉネットワークアプリケーションは、より安全になり、サービスはより円滑になり、ユーザエクスペリエンスが改善する。
【００２２】
可能な設計において、ＷｉＦｉモジュールは、コンテナとＷｉＦｉアクセス回路との間の予め設定されたマッピング関係に従って、第１コンテナに対応する第１ＷｉＦｉアクセス回路を使用することによって、第１ＷｉＦｉネットワークにアクセスするように、及び、マッピング関係に従って、第２コンテナに対応する第２ＷｉＦｉアクセス回路を使用することによって、第２ＷｉＦｉネットワークにアクセスするように構成される。
【００２３】
可能な設計において、ＷｉＦｉモジュールは更に、第１コンテナに対応する第１ＷｉＦｉアクセス回路を使用することによって、第１ＷｉＦｉネットワークにアクセスするとき、第１ＷｉＦｉネットワークへのアクセスに関する、チャネルリソーススケジューリング、媒体アクセス制御、又は、暗号化／復号化のうちの少なくとも１つを実行するように、及び、第２コンテナに対応する第２ＷｉＦｉアクセス回路を使用することによって、第２ＷｉＦｉネットワークにアクセスするとき、第２ＷｉＦｉネットワークへのアクセスに関する、チャネルリソーススケジューリング、媒体アクセス制御、又は、暗号化／復号化のうちの少なくとも１つを実行するように構成される。
【００２４】
可能な設計において、各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００２５】
可能な設計において、Ｍ及びＮは両方とも２に等しい。
【００２６】
更に別の態様によれば、本願の実施形態は、ＷｉＦｉネットワークにアクセスするための装置を提供する。装置は、第１ＷｉＦｉネットワークアクセスサービス及び第２ＷｉＦｉネットワークアクセスサービスの両方をサポートするコンテナと、ＷｉＦｉモジュールとを備え、コンテナは表示モジュールを含み、ＷｉＦｉモジュールは、第１ＷｉＦｉネットワークにアクセスするためのアクセス要求が受信されたとき、第１ＷｉＦｉアクセス回路を使用することによって第１ＷｉＦｉネットワークにアクセスするように構成され、更に、第１ＷｉＦｉアクセス回路を使用して第１ＷｉＦｉネットワークにアクセスするという状況下で、第２ＷｉＦｉネットワークにアクセスするためのアクセス要求が受信されたとき、第２ＷｉＦｉアクセス回路を使用することによって第２ＷｉＦｉネットワークにアクセスするように構成され、表示モジュールは、ＷｉＦｉモジュールが第１ＷｉＦｉネットワーク及び第２ＷｉＦｉネットワークにアクセスした後に、第１ＷｉＦｉネットワークアクセス識別子及び第２ＷｉＦｉネットワークアクセス識別子を、コンテナに対応する表示インタフェースに同期させて表示するように構成され、第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。上述の方法によれば、１個の端末を２又はより多くの異なるＷｉＦｉ（登録商標）ＡＰに同時に接続できる、すなわち、ＷｉＦｉデュアルスタンバイ又はマルチスタンバイ機能が実装され、それにより、ＷｉＦｉネットワークが２つのＷｉＦｉ（登録商標）ＡＰの間での切り替え動作中に中断されず、サービスがより円滑になり、ユーザエクスペリエンスが改善する。新しいインタフェース表示方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式を実装できる。
【００２７】
可能な設計において、表示モジュールは更に、第１ＷｉＦｉネットワークの接続信号強度及び第２ＷｉＦｉネットワークの接続信号強度を表示インタフェースに同期させて表示するように構成される。
【００２８】
可能な設計において、装置又はコンテナは更に、サービス分配モジュールを含み、サービス分配モジュールは、ＷｉＦｉモジュールが第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。
【００２９】
可能な設計において、ＷｉＦｉネットワーク接続方式は、ＷｉＦｉネットワークを選択して、データサービスを搬送させるために、ユーザによって使用される。端末が第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させる。あるいは、端末は、検出された、ユーザによって入力されたＷｉＦｉネットワーク接続方式に従って、ユーザによって指定されたＷｉＦｉネットワークを選択して、データサービスを搬送させる。あるいは、端末は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。このようにして、好ましいＷｉＦｉが選択され、取得されたＷｉＦｉネットワークのサービスがより良くなり、ＷｉＦｉマルチシステムコンカレンスを実装するために複数のＷｉＦｉシステムが使用され、異なるＷｉＦｉシステムが異なるサービスに使用され、それにより、すべての異なるサービスは、より円滑なネットワークサービスを取得できる。
【００３０】
可能な設計において、端末が、ロードバランシングポリシーに従って、第１ＷｉＦｉネットワーク及び第２ＷｉＦｉネットワークを選択して、データサービスを共に搬送させることは、端末が、第１ＷｉＦｉネットワーク及び第２ＷｉＦｉネットワークのトラフィックバランシングポリシーに従って、第１ＷｉＦｉネットワーク及び第２ＷｉＦｉネットワークを使用して、データサービスを搬送することを含む。あるいは、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用して、データサービスを搬送する。このようにして、異なるＷｉＦｉネットワークがデータサービスを共に搬送するとき、トラフィックをバランシングできる。
【００３１】
可能な設計において、ＷｉＦｉモジュールは更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【００３２】
可能な設計において、コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００３３】
更に別の態様によれば、本願の実施形態は、ＷｉＦｉプロセッサ、Ｎ個のＷｉＦｉアクセス回路、メモリ、及び、少なくとも１つのプロセッサを備える端末を提供する。メモリはソフトウェアプログラムを記憶するように構成される。少なくとも１つのプロセッサはメモリに結合され、Ｍ個のコンテナを形成するために、ソフトウェアプログラムをメモリから読み込み、ソフトウェアプログラムを実行するように構成され、Ｍ個のコンテナは、同時に実行可能であり、各コンテナは、１つのＷｉＦｉネットワークアクセスサービスに対応し、異なるコンテナの動作中の異なるＷｉＦｉネットワークアクセスサービスのタスク及びデータは互いから隔離され、ＷｉＦｉプロセッサは、Ｍ個のコンテナのうち第１コンテナが動作する場合、Ｎ個のＷｉＦｉアクセス回路のうち第１ＷｉＦｉアクセス回路を使用することによって、第１ＷｉＦｉネットワークにアクセスするように構成され、更に、端末が第１コンテナの動作から、Ｍ個のコンテナのうち第２コンテナの動作に切り替わるとき、Ｎ個のＷｉＦｉアクセス回路のうち第２ＷｉＦｉアクセス回路を使用することによって、第２ＷｉＦｉネットワークにアクセスするように構成され、少なくとも１つのプロセッサは更に、ＷｉＦｉプロセッサが第２ＷｉＦｉアクセス回路を使用することによって、第２ＷｉＦｉネットワークにアクセスするとき、バックグラウンド実行方式で第１コンテナの実行を継続するように構成され、ＷｉＦｉプロセッサは更に、第１ＷｉＦｉアクセス回路を使用して第１ＷｉＦｉネットワークにアクセスすることを継続するように構成され、Ｎ個のＷｉＦｉアクセス回路の各々は、１つの対応するＷｉＦｉネットワークにアクセスするために使用され、Ｍ及びＮは、２以上の自然数である。このようにして、第２コンテナの動作に切り替わるとき、端末は、第２ＷｉＦｉアクセス回路を使用して、第２ＷｉＦｉネットワークにアクセスする。第１ＷｉＦｉアクセス回路及び第２ＷｉＦｉアクセス回路は互い独立し、従って、端末はバックグラウンドにおいて第１ＷｉＦｉアクセス回路を使用して第１ＷｉＦｉネットワークにアクセスすることを継続でき、サービスは中断されず、それにより、ＷｉＦｉネットワークアプリケーションは、より安全になり、サービスはより円滑になり、ユーザエクスペリエンスが改善する。
【００３４】
可能な設計において、ＷｉＦｉプロセッサは、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスするように、及び、マッピング関係に従って、Ｎ個のＷｉＦｉアクセス回路のうち第２コンテナに対応する第２ＷｉＦｉアクセス回路を使用することによって、第２ＷｉＦｉネットワークにアクセスするように構成される。
【００３５】
可能な設計において、ＷｉＦｉプロセッサは更に、Ｎ個のＷｉＦｉアクセス回路のうち第１コンテナに対応する第１ＷｉＦｉアクセス回路を使用することによって、第１ＷｉＦｉネットワークにアクセスするとき、第１ＷｉＦｉネットワークへのアクセスに関する、チャネルリソーススケジューリング、媒体アクセス制御、又は、暗号化／復号化のうちの少なくとも１つを実行するように、及び、Ｎ個のＷｉＦｉアクセス回路のうち第２コンテナに対応する第２ＷｉＦｉアクセス回路を使用することによって、第２ＷｉＦｉネットワークにアクセスするとき、第２ＷｉＦｉネットワークへのアクセスに関する、チャネルリソーススケジューリング、媒体アクセス制御、又は、暗号化／復号化のうちの少なくとも１つを実行するように構成される。
【００３６】
可能な設計において、各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００３７】
可能な設計において、Ｍ及びＮは両方とも２に等しい。
【００３８】
更に別の態様によれば、本願の実施形態は端末を提供する。端末は、ＷｉＦｉプロセッサ、Ｎ個のＷｉＦｉアクセス回路、メモリ及び少なくとも１つのプロセッサを備える。メモリは、ソフトウェアプログラムを記憶するように構成され、少なくとも１つのプロセッサは、メモリに結合され、コンテナを形成するために、ソフトウェアプログラムをメモリから読み込み、ソフトウェアプログラムを実行するように構成され、コンテナは第１ＷｉＦｉネットワークアクセスサービス及び第２ＷｉＦｉネットワークアクセスサービスを両方ともサポートし、ＷｉＦｉプロセッサは、第１ＷｉＦｉネットワークにアクセスするためのアクセス要求が受信されたとき、Ｎ個のＷｉＦｉアクセス回路のうち第１ＷｉＦｉアクセス回路を使用することによって第１ＷｉＦｉネットワークにアクセスするように、及び、第１ＷｉＦｉアクセス回路を使用して第１ＷｉＦｉネットワークにアクセスするという状況下で、第２ＷｉＦｉネットワークにアクセスするためのアクセス要求が受信されたとき、Ｎ個のＷｉＦｉアクセス回路のうち第２ＷｉＦｉアクセス回路を使用することによって、第２ＷｉＦｉネットワークにアクセスするように構成され、少なくとも１つのプロセッサは、第１ＷｉＦｉネットワークアクセス識別子及び第２ＷｉＦｉネットワークアクセス識別子を同期させて表示するために、コンテナに対応する表示インタフェースを駆動するように構成され、第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表し、Ｎは２以上の自然数である。上述の方法によれば、１個の端末は、２又はより多くの異なるＷｉＦｉ（登録商標）ＡＰに同時に接続できる、すなわち、ＷｉＦｉデュアルスタンバイ又はマルチスタンバイ機能が実装され、それにより、２つのＷｉＦｉ（登録商標）ＡＰの間での切り替え動作中にＷｉＦｉネットワークが中断されず、サービスがより円滑になり、ユーザエクスペリエンスが改善する。新しいインタフェース方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式を実装できる。
【００３９】
可能な設計において、端末は更にディスプレイを備え、表示インタフェースがディスプレイ上に表示される。
【００４０】
可能な設計において、少なくとも１つのプロセッサは更に、第１ＷｉＦｉネットワークの接続信号強度、及び、第２ＷｉＦｉネットワークの接続信号強度を同期させて表示するために表示インタフェースを駆動するように構成される。
【００４１】
可能な設計において、ＷｉＦｉプロセッサは更に、第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。
【００４２】
可能な設計において、ＷｉＦｉネットワーク接続方式は、ＷｉＦｉネットワークを選択して、データサービスを搬送させるために、ユーザによって使用される。端末が第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させる。あるいは、端末は、検出された、ユーザによって入力されたＷｉＦｉネットワーク接続方式に従って、ユーザによって指定されたＷｉＦｉネットワークを選択して、データサービスを搬送させる。あるいは、端末は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。このようにして、好ましいＷｉＦｉが選択され、取得されたＷｉＦｉネットワークのサービスがより良くなり、ＷｉＦｉマルチシステムコンカレンスを実装するために複数のＷｉＦｉシステムが使用され、異なるＷｉＦｉシステムが異なるサービスに使用され、それにより、すべての異なるサービスは、より円滑なネットワークサービスを取得できる。
【００４３】
可能な設計において、端末が、ロードバランシングポリシーに従って、第１ＷｉＦｉネットワーク及び第２ＷｉＦｉネットワークを選択して、データサービスを共に搬送させることは、端末が、第１ＷｉＦｉネットワーク及び第２ＷｉＦｉネットワークのトラフィックバランシングポリシーに従って、第１ＷｉＦｉネットワーク及び第２ＷｉＦｉネットワークを使用して、データサービスを搬送することを含む。あるいは、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用して、データサービスを搬送する。このようにして、異なるＷｉＦｉネットワークがデータサービスを共に搬送するとき、トラフィックをバランシングできる。
【００４４】
可能な設計において、ＷｉＦｉプロセッサは更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【００４５】
可能な設計において、コンテナは更に、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００４６】
本願の実施形態において提供される端末によれば、端末は、ソフトウェア層設計を使用することによって、２又はより多くのＷｉＦｉネットワークに同時に接続することをサポートでき、それにより、ＷｉＦｉネットワークがより安全、より円滑な方式で適用される。
【図面の簡単な説明】
【００４７】
【図１】本願の実施形態に係る端末の概略構造図である。
【００４８】
【図２】本願の実施形態に係るＷｉＦｉネットワークにアクセスするための方法のフローチャート１である。
【００４９】
【図３】本願の実施形態に係る、ＷｉＦｉネットワークにアクセスするための装置の概略構造図１である。
【００５０】
【図４Ａ】本願の実施形態に係る端末の内部構造スタックの概略図１である。
【図４Ｂ】本願の実施形態に係る端末の内部構造スタックの概略図１である。
【００５１】
【図５】本願の実施形態に係る、ＷｉＦｉネットワークにアクセスするための方法のフローチャート２である。
【００５２】
【図６】本願の実施形態に係る端末表示インタフェースの概略図である。
【００５３】
【図７】本願の実施形態に係る、ＷｉＦｉネットワークにアクセスするための装置の概略構造図２である。
【００５４】
【図８Ａ】本願の実施形態に係る、端末の内部構造スタックの概略図２である。
【図８Ｂ】本願の実施形態に係る、端末の内部構造スタックの概略図２である。
【発明を実施するための形態】
【００５５】
本願の目的、技術的解決手段及び利点をより明確にするべく、以下では添付図面を参照しながら、本願を更に詳細に説明する。当然ながら、説明される実施形態は、本願の実施形態の全部ではなく、一部に過ぎない。創造的努力なく、本願の実施形態に基づいて当業者によって得られたすべての他の実施形態は、本願の保護範囲内に属するものとする。
【００５６】
既存のＷｉＦｉデュアルコネクティビティ技術は主に、端末ハードウェア設計に基づいて、及び、適切なソフトウェア層設計無しで実装されているという事実を考慮して、本願の実施形態において提供される端末によれば、ＷｉＦｉデュアルコネクティビティ、及び、更には２つより多くのＷｉＦｉ接続のマルチコネクティビティがサポートされるように、適切なソフトウェアアーキテクチャが設計される。
【００５７】
本願の実施形態において、２又はより多くのオペレーティングシステムを有する端末の設計が実行され、加えて、１つのオペレーティングシステムを有する端末の設計が実行される。詳細な説明は、以下でそれぞれ提供される。
【００５８】
現在、デュアルオペレーティングシステムを有する端末が適用されている。当該端末は、２つの独立したオペレーティングシステムを有する。２つのコンテナが端末内で動作でき、２つのコンテナの間には安全な距離があり、それにより、２つのコンテナの動作中にタスク及びデータが互いから隔離されることが保証され、各オペレーティングシステムの機密性が保証されると考えられ得る。ユーザは、デュアルオペレーティングシステムを有する端末を使用するとき、１つのオペレーティングシステムを使用して仕事上のタスクを実行し、他のオペレーティングシステムを使用して個人的なタスクを実行し得て、その結果、ユーザが異なるオペレーティングシステムの間の切り替え動作を実行するとき、仕事用の情報又は個人用の情報の安全を保証できる。しかしながら、オペレーティングシステムの間の切り替え動作のプロセスにおいて、オペレーティングシステムは、異なるＷｉＦｉ（登録商標）ＡＰに接続される必要がある。上述の課題を考慮して、本願の実施形態は、ＷｉＦｉネットワーク及び端末にアクセスするための方法及び装置を提供する。言及される端末は、少なくとも２つのＷｉＦｉアクセス回路を含み、少なくとも２つのコンテナを形成でき、異なるコンテナが動作する場合、端末は異なるＷｉＦｉアクセス回路を使用して、対応するＷｉＦｉネットワークにアクセスする。このようにして、異なるオペレーティングシステムの間で端末が切り替わるとき、ＷｉＦｉネットワーク接続が中断されないことを保証でき、その結果、ＷｉＦｉネットワークアプリケーションがより安全になり、サービスがより円滑になり、ユーザエクスペリエンスが改善する。
【００５９】
任意選択で、実施形態において言及されるオペレーティングシステムは、アンドロイド（Ａｎｄｒｏｉｄ（登録商標））、ｉＯＳ（登録商標）、又は、Ｗｉｎｄｏｗｓ（登録商標）などのオペレーティングシステムであり得る。本願の実施形態において言及される端末は、携帯電話、ノートブックコンピュータ又はタブレットコンピュータなどのモバイル電子デバイスであり得る。
【００６０】
具体的には、図１を参照すると、本願の実施形態における端末１００は、メインチップ１０１、ＷｉＦｉチップ１０２及びメモリ１０３を備える。メモリ１０３は、ソフトウェアプログラムを記憶するように構成される。端末１００によって使用されることができるオペレーティングシステムは、メインチップ１０１にロードされる。オペレーティングシステムは、ＷｉＦｉチップ１０２を使用する少なくとも１つの主体、すなわち、メイン中央処理装置（英語名：Ｃｅｎｔｒａｌ  Ｐｒｏｃｅｓｓｉｎｇ  Ｕｎｉｔ、省略名：ＣＰＵ）を含み、メインＣＰＵはこれ以降、簡潔にプロセッサと称される。少なくとも１つのプロセッサは、メモリ１０３に結合され、オペレーティングシステム及びアプリケーションソフトウェアを実行するために、メモリからソフトウェアプログラムを読み込むように構成される。ＷｉＦｉ  ＣＰＵ（すなわちＷｉＦｉプロセッサ）１０４は、ＷｉＦｉチップ１０２にロードされる。ＷｉＦｉ  ＣＰＵ１０４は、ＷｉＦｉチップカーネルプロセッサであり、ＷｉＦｉ関連動作機能を主に実装し、例えば、輻輳制御、キャリアアグリゲーション、フレームフィルタリング、鍵制御、フレーム受信／送信管理、及び、同様のことを担う。メインチップ１０１及びＷｉＦｉチップ１０２は、１つのチップに集積され得ることを理解されたい。
【００６１】
Ｎ個のＷｉＦｉアクセス回路がＷｉＦｉチップ１０２に集積され、Ｎは２以上の自然数である。Ｎ個のＷｉＦｉアクセス回路の各々は、１つの対応するＷｉＦｉネットワークにアクセスするために使用され、各ＷｉＦｉアクセス回路は、１つの独立した媒体アクセス制御（英語名：Ｍｅｄｉａ  Ａｃｃｅｓｓ  Ｃｏｎｔｒｏｌ、省略名：ＭＡＣ）１０５、及び、１つの独立した物理層（英語名：ｐｈｙｓｉｃａｌ  ｌａｙｅｒ、省略名：ＰＨＹ）１０６に対応する。Ｎ個のＭＡＣ１０５及びＮ個のＰＨＹ１０６は、１つのＷｉＦｉ  ＣＰＵ１０４を共有し、同時にデータを受信／送信でき、それにより、デュアルバンドデュアルコンカレント（Ｄｕａｌ‐Ｂａｎｄ  Ｄｕａｌ−Ｃｏｎｃｕｒｒｅｎｔ、ＤＢＤＣ）機能を実装する。ＭＡＣ１０５の機能は主に、チャネルアクセス、グループデフレーミング、データ受信／送信、暗号化／復号化、及び、省エネルギー制御を含む。図１に示されるように、ＭＡＣ１０５は、独立したデジタル信号プロセッサのような、独立したハードウェアを使用することによって実装され得る。当然ながら、ＭＡＣ１０５は、ＷｉＦｉ  ＣＰＵ１０４を使用することによって実装され得る。すなわち、ＭＡＣ１０５の機能は、ＷｉＦｉ  ＣＰＵ１０４を使用することによって実装される。図１は、参照のために使用されるに過ぎず、いかなる限定も課さない。ＰＨＹ１０６は主に、デジタルベースバンド処理のような物理層機能を実装する。ＷｉＦｉチップ１０２は無線周波数成分１０７を更に含む。無線周波数成分１０７は、送信中に、ＭＡＣ１０５及びＰＨＹ１０６によって処理されたベースバンド信号を無線周波数信号に変換し、受信中に、アンテナから受信された無線周波数信号をベースバンド信号に変換し、それにより、ＰＨＹ１０６及びＭＡＣ１０５は更なる処理を実行する。ＷｉＦｉ  ＣＰＵ１０４は、ＤＳＰ（デジタル信号プロセッサ）又は独立のＦＰＧＡ（フィールドプログラマブルゲートアレイ）チップに置き換えられ得ることを理解されたい。ＷｉＦｉ処理を実装するプロセッサの具体的な形式は、柔軟に変更可能であり得る。図１は参照のために使用されるに過ぎず、いかなる限定も課さない。
【００６２】
本願のこの実施形態において、メインチップ１０１における少なくとも１つのプロセッサは、Ｍ個のコンテナを形成するようにソフトウェアプログラムを実行し得る。Ｍは２以上の自然数であり、概して、Ｍ＝２である。各コンテナは、１つのオペレーティングシステムに対応し、Ｍ個のコンテナは、同時に動作可能であり、各コンテナは、１つのＷｉＦｉネットワークアクセスサービスに対応し、異なるコンテナが動作する場合、端末１００は、異なるオペレーティングシステムを使用し、異なるコンテナの動作中の異なるＷｉＦｉネットワークアクセスサービスのタスク及びデータは、互いから隔離されている、すなわち、各コンテナが独立したタスク及び独立したデータを有し、異なるコンテナは、互いに干渉しないタスク、及び、互いに干渉しないデータに対応する。異なるオペレーティングシステムの間の切り替え動作中、端末１００は、異なるコンテナの動作の間で切り替えを行う。異なるコンテナは互いから安全に隔離されている必要があり、それにより、いずれか２つの異なるコンテナの動作中に生成されるデータについての情報が互いに影響しないことを保証する。従って、各オペレーティングシステムの機密性が保証される。２つのオペレーティングシステムは、Ａｎｄｒｏｉｄ（登録商標）システム及びＷｉｎｄｏｗｓ（登録商標）システムなど、異なる種類のものであり得る、又は、デュアルＡｎｄｒｏｉｄ（登録商標）システムのような、同一の種類のものであり得る。デュアルＷｉＦｉコンカレンス（ｃｏｎｃｕｒｒｅｎｃｅ）を実装する、同一の種類の２つのオペレーティングシステムは、異なるカーネルを使用し得る、又は、同一のカーネルを使用し得るが、２つのシステム又は２つのコンテナにおいて、データは隔離され、ユーザ操作は特定の方式で隔離される。現在、デュアルコンテナインテリジェント端末が比較的広く適用されている。１つのオペレーティングシステムは、仕事用アプリケーションに対応し得て、他のオペレーティングシステムは、個人用アプリケーションに対応し得る。これにより、仕事用の情報と個人用の情報とが互いに干渉しないことを保証でき、それにより、機密性を保証する。本願において提供される方法は、少なくとも２つのコンテナが動作する端末に適用され得て、任意選択で、デュアルコンテナ端末に適用され得る。コンテナは、オペレーティングシステムプログラム又はアプリケーションプログラムと、オペレーティングシステムプログラム又はアプリケーションプログラムの実行コンポーネントとを共に保持するソフトウェアである。例えば、コンテナは、オペレーティングシステムプログラム若しくはアプリケーションプログラム、ライブラリ、及び、オペレーティングシステムプログラム若しくはアプリケーションプログラムの実行に必要な別のバイナリファイルを共に包含するように構成され、それにより、独立したオペレーティングシステム環境をオペレーティングシステムプログラム又はアプリケーションプログラムのために提供できる。概して、各ソフトウェアコンテナは、対応するオペレーティングシステムの少なくとも一部を含み得る。あるいは、各ソフトウェアコンテナは、オペレーティングシステムカーネルを含まないことがあり得て、この場合、コンテナは、仮想マシンより高速かつ柔軟であり得る。この実施形態において、１つのコンテナは、１つのオペレーティングシステムに対応し得て、２つのオペレーティングシステムは、互いから隔離され得て、それにより、２つオペレーティングシステムの動作は互いに干渉しない。
【００６３】
本願の各実施形態において言及されるコンテナは、対応するオペレーティングシステム（選択的に、オペレーティングシステムカーネルを含んでも含まなくてもよい）の少なくとも一部、対応するアプリケーションプログラム、対応するコンポーネント、対応するミドルウェア、又は、対応するデータベースのうちの１つ、又は、それらの組み合わせを含み得ることを理解されたい。例えば、メインＣＰＵによって実行されるソフトウェア機能エンティティとして、コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成され得る。
【００６４】
ＷｉＦｉ  ＣＰＵ１０４は、Ｍ個のコンテナのうちの第１コンテナが動作する場合、Ｎ個のＷｉＦｉアクセス回路のうちの第１ＷｉＦｉアクセス回路を使用することによって第１ＷｉＦｉネットワークにアクセスするように、及び、端末１００が第１コンテナの動作からＭ個のコンテナのうち第２コンテナの動作に切り替わるとき、Ｎ個のＷｉＦｉアクセス回路のうちの第２ＷｉＦｉアクセス回路を使用することによって第２ＷｉＦｉネットワークにアクセスするように構成される。少なくとも１つのプロセッサは更に、ＷｉＦｉ  ＣＰＵ１０４が第２ＷｉＦｉアクセス回路を使用することによって第２ＷｉＦｉネットワークにアクセスするとき、バックグラウンド実行方式で第１コンテナの実行を継続するように構成され、ＷｉＦｉ  ＣＰＵ１０４は更に、第１ＷｉＦｉアクセス回路を使用して第１ＷｉＦｉネットワークにアクセスすることを継続するように構成され、それにより、フォアグラウンドのオペレーティングシステムとバックグラウンドのオペレーティングシステムとの間の切り替え動作中にＷｉＦｉネットワーク接続が中断されないことを保証する。
【００６５】
任意選択で、ＷｉＦｉアクセス回路を使用して対応するＷｉＦｉネットワークにアクセスするとき、ＷｉＦｉ  ＣＰＵ１０４は、コンテナとＷｉＦｉアクセス回路との間の予め設定されたマッピング関係に従って、Ｎ個のＷｉＦｉアクセス回路のうちの第１コンテナに対応する第１ＷｉＦｉアクセス回路を使用することによって、第１ＷｉＦｉネットワークにアクセスし、Ｎ個のＷｉＦｉアクセス回路のうちの第２コンテナに対応する第２ＷｉＦｉアクセス回路を使用することによって、マッピング関係に従って第２ＷｉＦｉネットワークにアクセスする。加えて、Ｎ個のＷｉＦｉアクセス回路のうちの第１コンテナに対応する第１ＷｉＦｉアクセス回路を使用することによって第１ＷｉＦｉネットワークにアクセスするとき、ＷｉＦｉ  ＣＰＵ１０４は、第１ＷｉＦｉネットワークへのアクセスに関するチャネルリソーススケジューリング、媒体アクセス制御、又は、暗号化／復号化のうちの少なくとも１つを実行し、Ｎ個のＷｉＦｉアクセス回路のうちの第２コンテナに対応する第２ＷｉＦｉアクセス回路を使用することによって第２ＷｉＦｉネットワークにアクセスするとき、ＷｉＦｉ  ＣＰＵ１０４は、第２ＷｉＦｉネットワークへのアクセスに関するチャネルリソーススケジューリング、媒体アクセス制御、又は、暗号化／復号化のうちの少なくとも１つを実行する。
【００６６】
図１に示される端末の構造図に基づいて、添付図面を参照すると、端末が異なるオペレーティングシステムの間で切り替わるとき、フォアグラウンド及びバックグラウンドにおけるＷｉＦｉネットワーク接続のいずれも中断されないことを保証するための、本願の実施形態において提供される実装方法を以下で詳細に説明する。本願の実施形態において、オペレーティングシステム、又は、対応するコンテナの間の切り替え動作は、フォアグラウンド及びバックグラウンドの間のオペレーティングシステム又はコンテナの切り替え動作である。オペレーティングシステム又はコンテナは、バックグラウンドからフォアグラウンドに切り替えられ、元々フォアグラウンドで動作していたオペレーティングシステム又はコンテナはバックグラウンドに切り替えられる。そのような切り替え動作は、バックグラウンドで実行するオペレーティングシステムに対応するＷｉＦｉ接続の中断を引き起こさず、対応するＷｉＦｉデータ伝送は中断されず、それにより、ＷｉＦｉデュアルコネクティビティ及び同時データ伝送を実装する。オペレーティングシステム又はコンテナがフォアグラウンド動作状態にあるとき、ユーザインタフェース（英語名：Ｕｓｅｒ  Ｉｎｔｅｒｆａｃｅ、省略名：ＵＩ）を使用することによって、オペレーティングシステム又はコンテナのデータ又はプロセスがユーザに表示され得る。オペレーティングシステム又はコンテナがバックグラウンド動作状態にあるとき、オペレーティングシステム又はコンテナのデータ又はプロセスは、ユーザインタフェースを使用することによってユーザに表示されない。
【００６７】
図２に示されるように、本願の実施形態において提供されるＷｉＦｉネットワークにアクセスするための方法の手順は以下の通りである。
【００６８】
段階２００：Ｍ個のコンテナのうちの第１コンテナが動作する場合、端末は、Ｎ個のＷｉＦｉアクセス回路のうちの第１ＷｉＦｉアクセス回路を使用することによって、第１ＷｉＦｉネットワークにアクセスする。
【００６９】
段階２０１：第１コンテナの動作からＭ個のコンテナのうちの第２コンテナの動作に切り替わるとき、端末は、Ｎ個のＷｉＦｉアクセス回路のうち第２ＷｉＦｉアクセス回路を使用することによって第２ＷｉＦｉネットワークにアクセスし、第１コンテナは、バックグラウンド実行方式で動作を継続し、端末は第１ＷｉＦｉアクセス回路を使用して第１ＷｉＦｉネットワークにアクセスすることを継続する。
【００７０】
上述の方法によれば、第２コンテナの動作に切り替わるとき、端末は、第２ＷｉＦｉアクセス回路を使用して第２ＷｉＦｉネットワークにアクセスする。第１ＷｉＦｉアクセス回路及び第２ＷｉＦｉアクセス回路は互い独立し、従って、端末はバックグラウンドで第１ＷｉＦｉアクセス回路を使用して第１ＷｉＦｉネットワークにアクセスすることを継続でき、サービスは中断されない。
【００７１】
特定の実装プロセスにおいて、端末は、コンテナとＷｉＦｉアクセス回路との間のマッピング関係を予め設定し、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスし、Ｎ個のＷｉＦｉアクセス回路のうち第２コンテナに対応する第２ＷｉＦｉアクセス回路を使用することによって、第２ＷｉＦｉネットワークにアクセスする。
【００７２】
図１に示される端末、及び、図２に示される方法に基づいて、図３を参照すると、本願の実施形態は更に、ＷｉＦｉネットワークにアクセスするための装置３００を提供する。装置３００は、同時に動作可能なＭ個のコンテナ３０１とＷｉＦｉモジュール３０２とを備える。各コンテナ３０１は、１つのＷｉＦｉネットワークアクセスサービスに対応し、異なるコンテナ３０１の動作中の異なるＷｉＦｉネットワークアクセスサービスのタスク及びデータは互いから隔離され、Ｍ個のコンテナ３０１は、第１コンテナ３０１−１及び第２コンテナ３０１−２を含む。
【００７３】
ＷｉＦｉモジュール３０２は、第１コンテナ３０１−１が動作するとき、第１ＷｉＦｉアクセス回路を使用することによって第１ＷｉＦｉネットワークにアクセスするように構成され、更に、装置３００が第１コンテナ３０１−１の動作から第２コンテナ３０１−２の動作に切り替わるとき、第２ＷｉＦｉアクセス回路を使用することによって、第２ＷｉＦｉネットワークにアクセスするように構成される。第１コンテナ３０１−１は更に、ＷｉＦｉモジュール３０２が第２ＷｉＦｉアクセス回路を使用することによって第２ＷｉＦｉネットワークにアクセスするとき、バックグラウンド実行方式で動作を継続するように構成され、ＷｉＦｉモジュール３０２は更に、第１ＷｉＦｉアクセス回路を使用して第１ＷｉＦｉネットワークにアクセスすることを継続するように構成され得る。
【００７４】
Ｍ及びＮは２以上の自然数である。好ましくは、ＭはＮに等しい。
【００７５】
任意選択で、ＷｉＦｉモジュール３０２は、コンテナとＷｉＦｉアクセス回路との間の予め設定されたマッピング関係に従って、第１コンテナ３０１−１に対応する第１ＷｉＦｉアクセス回路を使用することによって、第１ＷｉＦｉネットワークにアクセスするように構成される。
【００７６】
ＷｉＦｉモジュール３０２は更に、マッピング関係に従って、第２コンテナ３０１−２に対応する第２ＷｉＦｉアクセス回路を使用することによって、第２ＷｉＦｉネットワークにアクセスするように構成される。
【００７７】
任意選択で、ＷｉＦｉモジュール３０２は更に、第１コンテナ３０１‐１に対応する第１ＷｉＦｉアクセス回路を使用することによって、第１ＷｉＦｉネットワークにアクセスするとき、第１ＷｉＦｉネットワークへのアクセスに関する、チャネルリソーススケジューリング、媒体アクセス制御、又は、暗号化／復号化のうちの少なくとも１つを実行するように、及び、第２コンテナ３０１‐２に対応する第２ＷｉＦｉアクセス回路を使用することによって、第２ＷｉＦｉネットワークにアクセスするとき、第２ＷｉＦｉネットワークへのアクセスに関する、チャネルリソーススケジューリング、媒体アクセス制御、又は、暗号化／復号化のうちの少なくとも１つを実行するように構成される。
【００７８】
任意選択で、Ｍ個のコンテナ３０１の各々は、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００７９】
本願の実施形態における、図１に示される端末、図２に示される方法、及び、図３に示される装置をより良く理解するために、以下では、図４Ａ及び図４Ｂに示される端末の内部構造スタックのより詳細な概略図を使用することによって、端末の実装を更に説明する。
【００８０】
図４Ａ及び図４Ｂに示されるように、端末４００は少なくとも２つのオペレーティングシステムを使用し得る。図４Ａ及び図４Ｂにおいて、２つのオペレーティングシステムＯＳ０及びＯＳ１が使用される例が説明のために使用される。各オペレーティングシステムについて、以下のモジュールが含まれる。ＷｉＦｉ設定モジュール４０１、ＡＰステートマシン４０２、局ピアツーピア（英語名：Ｓｔａｔｉｏｎ  Ｐｅｅｒ  ｔｏ  Ｐｅｅｒ、省略名：ＳＴＡ  Ｐ２Ｐ）ネットワークステートマシン４０３、インタフェース４０４、ネットワークアダプタマッチングモジュール４０５、暗号化ネットワークアクセス論理エンティティ４０６、ＷＬＡＮ０４０７、Ｐ２Ｐ０４０８、Ｐ２Ｐ４０９、スケジューリングモジュール４１０、ＷｉＦｉプロトコルスタック４１１及びＷｉＦｉアクセス回路４１２。
【００８１】
ＷｉＦｉ設定モジュール４０１は、通常はインテリジェント端末、すなわち、ユーザインタフェースソフトウェア上で使用されるＷｉＦｉ利用インタフェースであり、メインＣＰＵによって実行されるアプリケーションソフトウェアである。
【００８２】
ＡＰステートマシン４０２は、端末のインストールパッケージにおけるＡＰ起動状態の論理実装に使用され、メインＣＰＵ又はＷｉＦｉ  ＣＰＵによって実行されるソフトウェアであり、概してメインＣＰＵによって実行され、レポートを下層から受信し、ＷｉＦｉ（登録商標）ＡＰの接続状態若しくは中断状態、又は、接続信号強度などのアクセス状態を取得し、取得されたＷｉＦｉ（登録商標）ＡＰのアクセス状態をＷｉＦｉ設定モジュールへ送るように構成され、それにより、ＷｉＦｉ設定モジュール４０１は、ＷｉＦｉ（登録商標）ＡＰのアクセス状態をユーザインタフェース上で表示する。
【００８３】
局ピアツーピアネットワークステートマシン４０３は、端末のインストールパッケージにおけるＳＴＡ  Ｐ２Ｐ接続状態の論理実装に使用される。ＡＰステートマシンと同様に、ＳＴＡ  Ｐ２Ｐステートマシンは、Ｐ２Ｐポイントの状態、すなわち、ＷｉＦｉダイレクト送信におけるピアデバイスについての情報を取得するように構成され、メインＣＰＵ又はＷｉＦｉ  ＣＰＵによって実行されるソフトウェアであり、概して、メインＣＰＵによって実行される。
【００８４】
各オペレーティングシステムに対応するＷｉＦｉ設定モジュール４０１、ＡＰステートマシン４０２及びＳＴＡ  Ｐ２Ｐステートマシン４０３は、１つのコンテナに含まれ、メインＣＰＵによって実行されると考えられ得る。ＡＰステートマシン４０２及びＳＴＡ  Ｐ２Ｐステートマシン４０３は、ＷｉＦｉ（登録商標）ＡＰのアクセス状態及びＳＴＡ  Ｐ２Ｐの接続状態を維持及び管理することによって、ＷｉＦｉ部分の動作状態（ＷｉＦｉプロセッサ及びＷｉＦｉアクセス回路を含む）を認識し、それにより、関連する状態は、上層のＷｉＦｉ設定モジュール４０１へ好都合に送られ、ＷｉＦｉ設定モジュール４０１は対応する表示を実行できる。
【００８５】
インタフェース４０４は、インタフェース論理プロトコルスタックインタフェース層であり、上部と下部とを接続するための唯一のインタフェースである。
【００８６】
ネットワークアダプタマッチングモジュール４０５は、ネットワークアダプタバインディング、及び、呼び出されたネットワークインタフェースの分配のために使用される、すなわち、高層コンテナと、暗号化ネットワークアクセス論理エンティティ４０６、ＷＬＡＮ０４０７、Ｐ２Ｐ０４０８、Ｐ２Ｐ４０９、ＷｉＦｉプロトコルスタック４１１及びＷｉＦｉアクセス回路４１２などの最下層ソフトウェアモジュールとの間の対応関係を実装するために使用され、ＷｉＦｉ  ＣＰＵによって実行されるソフトウェアである。
【００８７】
暗号化ネットワークアクセス論理エンティティ４０６は、ＷｉＦｉ（登録商標）ＡＰモード暗号化／復号化ネットワークアクセス機能を実装し、ＷｉＦｉ  ＣＰＵによって実行されるソフトウェアである。
【００８８】
ＷＬＡＮ０４０７はＷＬＡＮ通信エンティティであり、ＷｉＦｉ  ＣＰＵによって実行されるソフトウェアであり、ＷＬＡＮ通信に必要な必須ソフトウェア機能を実装する。
【００８９】
Ｐ２Ｐ０４０８はＰ２Ｐ通信エンティティであり、ＷｉＦｉ  ＣＰＵによって実行されるソフトウェアであり、Ｐ２Ｐ通信に必要な必須ソフトウェア機能を実装する。
【００９０】
Ｐ２Ｐ４０９はＰ２Ｐスキャン機能であり、ＷｉＦｉ  ＣＰＵによって実行されるソフトウェアであり、Ｐ２Ｐスキャンに必要な必須ソフトウェア機能を実装する。
【００９１】
スケジューリングモジュール４１０は、１つのＷｉＦｉ  ＣＰＵに基づいて、２つの仮想アクセスポイントの間で、チャネルリソーススケジューリング及び同様のものを含むスケジューリングを実行するように構成される。
【００９２】
ＷｉＦｉプロトコルスタック４１１は、少なくとも２つの独立のＭＡＣを含む。図４Ａ及び図４Ｂにおいて、２つのＭＡＣは例として使用される。ＭＡＣは、ＷｉＦｉ  ＣＰＵによって実行されるソフトウェアであり得て、又は、当然ながら、ＷｉＦｉ  ＣＰＵソフトウェアの代わりに独立のＭＡＣハードウェアを使用することによって実装され得る。
【００９３】
ＷｉＦｉ  ＣＰＵによって実行されるソフトウェアは、ＷｉＦｉモジュールと総称され得て、選択的に、インタフェース４０４、ネットワークアダプタマッチングモジュール４０５、暗号化ネットワークアクセス論理エンティティ４０６、スケジューリングモジュール４１０及びＷｉＦｉプロトコルスタック４１１を含み得て、ＷＬＡＮ０４０７、Ｐ２Ｐ０４０８及びＰ２Ｐ４０９を更に含み得る。
【００９４】
少なくとも２つのＷｉＦｉアクセス回路４１２及びＷｉＦｉ  ＣＰＵはすべて、ＷｉＦｉチップに含まれ、少なくとも２つのＷｉＦｉアクセス回路４１２は、少なくとも２つの独立のＰＨＹ層、及び、少なくとも２つの無線周波数成分を含み得る。例えば、第１ＷｉＦｉアクセス回路及び第２ＷｉＦｉアクセス回路という２つのＷｉＦｉアクセス回路がある。ＷｉＦｉアクセス回路４１２は、集積回路を使用することによって実装され得る、すなわち、ＷｉＦｉ  ＣＰＵと、独立のＰＨＹ層及び無線周波数成分を含むＷｉＦｉアクセス回路とは、ＷｉＦｉチップに集積され得ることを理解されたい。このようにして、ＷｉＦｉアクセス回路及びＷｉＦｉ  ＣＰＵは、完全なプロセッサを形成し、プロセッサは、集積回路技術を使用することによって半導体チップに集積される。あるいは、ＷｉＦｉアクセス回路４１２は、独立のチップであり得て、ＷｉＦｉ  ＣＰＵとは別個に実装される。これは、本実施形態において限定されない。
【００９５】
具体的には、端末は、２つのオペレーティングシステム、ＯＳ０とＯＳ１との間で切り替わり得る。各オペレーティングシステムは１つのコンテナにおける動作に対応する。図４Ａ及び図４Ｂに示されるように、２つの対称部分がある。端末は、各部分に対応する仮想デバイスを動作させ得る、すなわち、各部分に対応するコンテナを動作させ得ると考えられ得る。２つのコンテナが端末において動作するときに使用されるチャネルの中央の周波数の間の差は、閾値より大きい必要があり、例えば、少なくとも２０ＭＨｚである必要がある。あるいは、２つのコンテナが動作する場合、端末は、同一のチャネルを使用し得る。
【００９６】
実際の適用プロセスにおいて、端末が起動するとき、ＯＳ０のＷＬＡＮ及びＰ２Ｐ、ＯＳ１のＷＬＡＮ及びＰ２Ｐ、ＯＳ０の暗号化エンティティ、及び、ＯＳ１の暗号化エンティティがデフォルトで起動する。
【００９７】
ＯＳ０が起動するとき、ＯＳ０のＡＰステートマシン４０２及びＳＴＡ  Ｐ２Ｐステートマシン４０３がネットワークアダプタマッチングモジュール４０５に対して登録を行い、ＯＳ０の対応する暗号化ネットワークアクセス論理エンティティ４０６に関連付けられ、それにより、対応する暗号化ネットワークアクセス論理エンティティ４０６への接続が確立される（当然ながら、ＯＳ１の暗号化ネットワークアクセス論理エンティティ４０６が取得され得て、その結果、ＯＳ１の対応する暗号化ネットワークアクセス論理エンティティ４０６への接続が確立される）。
【００９８】
ＯＳ１の起動プロセスは、ＯＳ０の上述の起動プロセスと同様であり、詳細はここでは再度説明しない。
【００９９】
ネットワークアダプタマッチングモジュール４０５は、暗号化ネットワークアクセス論理エンティティ４０６のインデックスと、ＯＳ０のＡＰステートマシン４０２及びＳＴＡ  Ｐ２Ｐステートマシン４０３のインデックスとを記憶し、暗号化ネットワークアクセス論理エンティティ４０６と、ＯＳ０のＡＰステートマシン４０２及びＳＴＡ  Ｐ２Ｐステートマシン４０３両方との間のステートマシン通信に使用される共有変数又はメッセージキューを記憶し、ネットワークアダプタマッチングモジュール４０５の各上層ステートマシンと、下層暗号化ネットワークアクセス論理エンティティ４０６との間の接続関係を記憶する必要がある。
【０１００】
ネイティブインタフェースの呼び出しは、暗号化ネットワークアクセス論理エンティティ４０６から各ステートマシンへのインタフェースの呼び出し、及び、各ステートマシンから暗号化ネットワークアクセス論理エンティティ４０６へのインタフェースの呼び出しを含み、ネットワークアダプタマッチングモジュール４０５は、漸増メッセージ機構又は別のプロセス通信機構を使用することによってネイティブインタフェースに適合する必要がある。
【０１０１】
終了ロジックは、上述の起動ロジックの反対であり、上述の起動ロジックを参照してよい。詳細はここでは説明しない。
【０１０２】
図１から図４Ａ及び図４Ｂにおいて提供される、ＷｉＦｉネットワークにアクセスするための端末、並びに、方法及び装置によれば、端末が異なるオペレーティングシステムの間で切り替わるとき、ＷｉＦｉネットワーク接続が中断されないことを保証でき、それにより、ＷｉＦｉネットワークアプリケーションはより安全になり、サービスはより円滑になり、ユーザエクスペリエンスが改善する。
【０１０３】
加えて、空港又はショッピングモールなどの公共の環境においては、複数のＷｉＦｉ（登録商標）ＡＰが配置されているので、端末を持ったユーザが１つのエリアから別のエリアへ移動するとき、端末は、１つのＷｉＦｉ（登録商標）ＡＰから別のＷｉＦｉ（登録商標）ＡＰへ切り替わる必要がある。この切り替えプロセスにおいて、サービス中断が生じ、ユーザエクスペリエンスが損なわれる。
【０１０４】
これを考慮して、図１に提供される端末構造に基づいて、本願の実施形態は、アクセスＷｉＦｉネットワーク及び別の端末のための別の方法及び装置を提供し、それにより、１個の端末を、２又はより多くの異なるＷｉＦｉ（登録商標）ＡＰに接続でき、ＷｉＦｉネットワークは２つのＷｉＦｉ（登録商標）ＡＰの間の切り替え動作中に中断されず、サービスはより円滑になり、ユーザエクスペリエンスが改善する。
【０１０５】
図１に提供される端末構造において、メインチップ１０１における少なくとも１つのプロセッサは、少なくとも２つのコンテナを形成するようにソフトウェアプログラムを動作させ得る。あるいは、当然ながら、メインチップ１０１における少なくとも１つのプロセッサは、１つのみのコンテナを形成するためにソフトウェアプログラムを実行し得る、すなわち、単一コンテナモードがサポートされる。同様に、単一のコンテナはまた、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成され得る。本願の実施形態における図５から図８Ａ及び図８Ｂにおいて説明される方法及び装置において言及される端末は、単一コンテナモードのためのものである。単一コンテナモードにおいて、２つのＷｉＦｉネットワークアクセス識別子は、ユーザインタフェース又はディスプレイ上に好都合に表示され得て、それにより、ユーザは、２つのＷｉＦｉネットワークの接続状態を好都合に認識でき、ユーザエクスペリエンスが改善する。
【０１０６】
図１に示される端末構造に基づいて、単一コンテナモードにおいて、端末１００におけるコンテナは、第１ＷｉＦｉネットワークアクセスサービス及び第２ＷｉＦｉネットワークアクセスサービスの両方をサポートする。ＷｉＦｉ  ＣＰＵ１０４は、第１ＷｉＦｉネットワークにアクセスするためのアクセス要求が受信されたとき、Ｎ個のＷｉＦｉアクセス回路のうち第１ＷｉＦｉアクセス回路を使用することによって第１ＷｉＦｉネットワークにアクセスするように、及び、第１ＷｉＦｉアクセス回路を使用して第１ＷｉＦｉネットワークにアクセスするという状況下で、第２ＷｉＦｉネットワークにアクセスするためのアクセス要求が受信された場合、Ｎ個のＷｉＦｉアクセス回路のうち第２ＷｉＦｉアクセス回路を使用することによって、第２ＷｉＦｉネットワークにアクセスするように構成される。メインチップ１０１に含まれる少なくとも１つのプロセッサは、第１ＷｉＦｉネットワークアクセス識別子及び第２ＷｉＦｉネットワークアクセス識別子を同期させて表示するように、コンテナに対応する表示インタフェースを駆動するように構成される。表示インタフェースについては、図６に示される概略図を参照されたい。第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。Ｎは２以上の自然数である。
【０１０７】
任意選択で、端末１００は更に、ディスプレイ１０８を備え得て、コンテナに対応する表示インタフェースは、ディスプレイ１０８上に表示される。
【０１０８】
メインチップ１０１における少なくとも１つのプロセッサは更に、第１ＷｉＦｉネットワークの接続信号強度及び第２ＷｉＦｉネットワークの接続信号強度を同期させて表示するように表示インタフェースを駆動するように構成される。
【０１０９】
任意選択で、ＷｉＦｉ  ＣＰＵ１０４は更に、第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。加えて、ＷｉＦｉ  ＣＰＵ１０４は更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【０１１０】
単一コンテナモードにおける端末１００に基づいて、図５を参照すると、本願の実施形態において提供される、ＷｉＦｉネットワークにアクセスするための別の方法の手順は以下の通りである。
【０１１１】
段階５００：端末が、第１ＷｉＦｉネットワークにアクセスするためのアクセス要求を受信したとき、Ｎ個のＷｉＦｉアクセス回路のうち第１ＷｉＦｉアクセス回路を使用することによって第１ＷｉＦｉネットワークにアクセスする。
【０１１２】
段階５０１：第１ＷｉＦｉアクセス回路を使用して第１ＷｉＦｉネットワークにアクセスするという状況下で、第２ＷｉＦｉネットワークにアクセスするためのアクセス要求を端末が受信した場合、端末は、Ｎ個のＷｉＦｉアクセス回路のうち第２ＷｉＦｉアクセス回路を使用することによって、第２ＷｉＦｉネットワークにアクセスする。
【０１１３】
Ｎは２以上の自然数である。
【０１１４】
端末は、第１ＷｉＦｉネットワーク及び第２ＷｉＦｉネットワークにアクセスした後に、第１ＷｉＦｉネットワークアクセス識別子及び第２ＷｉＦｉネットワークアクセス識別子を、表示インタフェース上で同期させて表示する。表示インタフェースは図６に示される。第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。
【０１１５】
更に、端末は、第１ＷｉＦｉネットワーク及び第２ＷｉＦｉネットワークにアクセスした後に、第１ＷｉＦｉネットワークの接続信号強度、及び、第２ＷｉＦｉネットワークの接続信号強度を表示インタフェース上で同期させて表示し得る。
【０１１６】
任意選択で、ＷｉＦｉネットワーク接続方式が端末のために事前に構成される。ＷｉＦｉネットワーク接続方式は、ユーザが、ＷｉＦｉネットワークを選択して、データサービスを搬送させるために使用される。例えば、ＷｉＦｉネットワーク接続方式は、好ましくは、強い信号を有するＷｉＦｉ（登録商標）ＡＰにアクセスすること、又は、複数のＷｉＦｉ（登録商標）ＡＰ（例えば、２つのＷｉＦｉ（登録商標）ＡＰ）に同時にアクセスすること、又は、指定されたＷｉＦｉ（登録商標）ＡＰにアクセスすること、又は同様のことを含む。端末は、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させる。具体的には、第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するするＷｉＦｉネットワークを選択して、データサービスを搬送させる、又は、検出された、ユーザによって入力されたＷｉＦｉネットワーク接続方式に従って、ユーザによって指定されたＷｉＦｉネットワークを選択して、データサービスを搬送させる、又は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。
【０１１７】
ロードバランシングポリシーに従って、第１ＷｉＦｉネットワーク及び第２ＷｉＦｉネットワークを選択し、データサービスを共に搬送させることは、限定されないが、以下の複数の場合を含み得る。
【０１１８】
端末は、第１ＷｉＦｉネットワーク及び第２ＷｉＦｉネットワークのトラフィックバランシングポリシーに従って、第１ＷｉＦｉネットワーク及び第２ＷｉＦｉネットワークを使用してデータサービスを搬送する、又は、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用してデータサービスを搬送する。
【０１１９】
図５に示される方法から、端末が１つのネットワークにアクセスしたとき、端末は、１つのネットワークアクセスサービスを維持しながら、別のネットワークに更にアクセスし得ることが分かる。２つのＷｉＦｉネットワークは、異なるＷｉＦｉアクセス回路を使用して動作し、従って、２つのＷｉＦｉネットワークが同時にオンライン状態になることを保証できる。上述の方式は、ＷｉＦｉデュアルスタンバイ方式とも称され得る。当然ながら、上述の方法は、２つより多くのＷｉＦｉネットワークが同時にオンライン状態になるように拡張される。このようにして、端末は２つのＷｉＦｉネットワークに同時に接続される場合、端末を保持するユーザが１つのエリアから別のエリアへ移動するとき、ＷｉＦｉネットワーク接続が中断されないことを保証でき、サービスが中断されないことを保証でき、ユーザエクスペリエンスを改善できる。
【０１２０】
図５に示される、ＷｉＦｉネットワークにアクセスするための方法に基づいて、図７を参照すると、本願の実施形態は更に、ＷｉＦｉネットワークにアクセスするための装置７００を提供する。装置７００は、第１ＷｉＦｉネットワークアクセスサービス及び第２ＷｉＦｉネットワークアクセスサービスの両方をサポートするコンテナ７０１、及び、ＷｉＦｉモジュール７０２を備える。コンテナ７０１は表示モジュール７０３を含む。
【０１２１】
ＷｉＦｉモジュール７０２は、ＷｉＦｉネットワークにアクセスするためのアクセス要求が受信されたとき、Ｎ個のＷｉＦｉアクセス回路のうち第１ＷｉＦｉアクセス回路を使用することによって第１ＷｉＦｉネットワークにアクセスするように構成され、更に、第１ＷｉＦｉアクセス回路を使用して第１ＷｉＦｉネットワークにアクセスするという状況下で、第２ＷｉＦｉネットワークにアクセスするためのアクセス要求が受信された場合、第２ＷｉＦｉアクセス回路を使用することによって、第２ＷｉＦｉネットワークにアクセスするように構成される。Ｎは２以上の自然数である。
【０１２２】
表示モジュール７０３は、ＷｉＦｉモジュールが第１ＷｉＦｉネットワーク及び第２ＷｉＦｉネットワークにアクセスした後に、コンテナに対応する表示インタフェース上に第１ＷｉＦｉネットワークアクセス識別子及び第２ＷｉＦｉネットワークアクセス識別子を同期させて表示するように構成される。第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。
【０１２３】
任意選択で、表示モジュール７０３は更に、第１ＷｉＦｉネットワークの接続信号強度及び第２ＷｉＦｉネットワークの接続信号強度を表示インタフェースに同期させて表示するように構成される。
【０１２４】
任意選択で、装置７００又はコンテナ７０１は更に、サービス分配モジュール７０４を備える。サービス分配モジュール７０４は、オペレーティングシステムの一部であり得る、すなわち、コンテナ７０１は、サービス分配モジュール７０４を含み、又は、当然ながら、ＷｉＦｉ  ＣＰＵによって実行されるソフトウェアの一部であり得る。例えば、図７において、サービス分配モジュール７０４はコンテナ７０１に存在する。サービス分配モジュール７０４は、ＷｉＦｉモジュールが第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。
【０１２５】
具体的には、サービス分配モジュール７０４は、ユーザによって入力されたＷｉＦｉネットワーク接続方式を検出し、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させるように、又は、検出された、ユーザによって入力されたＷｉＦｉネットワーク接続方式に従って、ユーザによって指定されたＷｉＦｉネットワークを選択して、データサービスを搬送させるように、又は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させるように構成される。
【０１２６】
サービス分配モジュール７０４は、第１ＷｉＦｉネットワーク及び第２ＷｉＦｉネットワークのトラフィックバランシングポリシーに従って、第１ＷｉＦｉネットワーク及び第２ＷｉＦｉネットワークを使用してデータサービスを搬送する、又は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用してデータサービスを搬送する。
【０１２７】
任意選択で、ＷｉＦｉモジュール７０２は更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【０１２８】
任意選択で、コンテナ７０１は、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【０１２９】
本願の実施形態における図５から図７に示される方法及び装置をより良く理解するべく、以下では更に、図８Ａ及び図８Ｂに示される端末の内部構造スタックのより詳細な概略図を使用することによって、端末の実装を説明する。
【０１３０】
図８Ａ及び図８Ｂに示されるように、端末８００は、ＷｉＦｉ設定モジュール８０１と、少なくとも２つのＡＰステートマシン８０２（図においては、２つのＡＰステートマシンが例として使用される）と、少なくとも２つのＳＴＡ  Ｐ２Ｐステートマシン８０３（図においては、２つのＳＴＡ  Ｐ２Ｐステートマシンが例として使用される）と、サービス分配モジュール８０４と、インタフェース８０５と、少なくとも２つの暗号化ネットワークアクセス論理エンティティ８０６（図においては、２つの暗号化ネットワークアクセス論理エンティティが例として使用される）と、少なくとも２つのＷＬＡＮ０  ８０７（図においては、２つのＷＬＡＮ０が例として使用される）と、少なくとも２つのＰ２Ｐ０  ８０８（図においては、２つのＰ２Ｐ０が例として使用される）と、少なくとも２つのＰ２Ｐ  ８０９（図においては、２つのＰ２Ｐが例として使用される）と、少なくとも２つのスケジューリングモジュール８１０と、ＷｉＦｉプロトコルスタック８１１（図においては、２つのＷｉＦｉプロトコルスタックが例として使用される）と、ＷｉＦｉアクセス回路８１２とを備える。ＷｉＦｉ設定モジュール８０１、少なくとも２つのＡＰステートマシン８０２、及び、少なくとも２つのＳＴＡ  Ｐ２Ｐステートマシン８０３は、１つのコンテナに含まれ得て、ＣＰＵによって実行され得る。任意選択で、サービス分配モジュール８０４はまた、コンテナに含まれる。あるいは、サービス分配モジュール８０４は、ＷｉＦｉ  ＣＰＵによって実行され得る。ＷｉＦｉ  ＣＰＵは更に、インタフェース８０５、少なくとも２つの暗号化ネットワークアクセス論理エンティティ８０６、少なくとも２つのＷＬＡＮ０  ８０７、少なくとも２つのＰ２Ｐ０  ８０８、少なくとも２つのＰ２Ｐ  ８０９、少なくとも２つのスケジューリングモジュール８１０、及び、ＷｉＦｉプロトコルスタック８１１を実行及び実装するように構成される。ＷｉＦｉ  ＣＰＵ及びＷｉＦｉアクセス回路８１２は、ＷｉＦｉチップに集積され得るか、又は、別個に実装され得る。
【０１３１】
図４Ａ及び図４Ｂにおけるモジュールと同一のモジュール名を有するモジュールはまた、図４Ａ及び図４Ｂにおけるモジュールと同一の機能を有し、詳細はここで再度説明しない。それとは別に、図８Ａ及び図８Ｂに示される端末８００は、１つのオペレーティングシステムを動作させ得る、すなわち、単一コンテナモードで動作し得る。従って、１つのＷｉＦｉ設定モジュール８０１が図８Ａ及び図８Ｂに含まれる、すなわち、１つのオペレーティングシステムの設定インタフェースを使用することによって設定が実行される。同様に、図８Ａ及び図８Ｂから分かるように、端末８００は、１つのＣＰＵを共有する２つのチャネルを有すると考えられ得ることが分かる。１つのチャネルは、１つのＷｉＦｉネットワークへのアクセスに対応し得て、端末８００の単一のコンテナは、チャネルのいずれかを使用し得て、適切なソフトウェア設計に従って同時に２つのチャネルを使用するとき、端末８００を２つのＷｉＦｉネットワークに同時に接続できる、すなわち、ＷｉＦｉデュアルスタンバイ機能を実装する。同様に、２つより多くのチャネルを有する端末は、ＷｉＦｉマルチスタンバイ機能を実装できる。この実施形態において、２つのチャネルは例として使用され、保護範囲を限定することを意図するものではない。
【０１３２】
サービス分配モジュール８０４は、図７におけるサービス分配モジュール７０５によって実行される機能を実行するように構成される。本願のこの実施形態において、端末は、追加されたサービス分配モジュールを使用することによって、１つのオペレーティングシステムにおいて、異なるサービスのために異なるＷｉＦｉアクセス回路を使用し得て、それにより、複数のＷｉＦｉネットワークが複数のサービスに使用されるコンカレント機能が実装され、１個の端末を２又はより多くの異なるＷｉＦｉ（登録商標）ＡＰに同時に接続できる、すなわち、ＷｉＦｉデュアルスタンバイ又はマルチスタンバイ機能が実装される。加えて、新しいインタフェース方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式が実装される。
【０１３３】
当業者であれば、本願の実施形態が方法、システム、又は、コンピュータプログラム製品として提供され得ることを理解するであろう。従って、本願において設計された方法における内容の一部は、ソフトウェアを使用することによって、又は、ソフトウェア及びハードウェアの組み合わせを伴う実施形態の形式で実装され得る。更に、本願は、コンピュータ使用可能プログラムコードを含む、１又は複数のコンピュータ使用可能ストレージ媒体（限定されないが、ディスクメモリ、ＣＤ−ＲＯＭ、光学メモリ、及び、同様のものを含む）上に実装されるコンピュータプログラム製品の形式を使用し得る。例えば、メインＣＰＵ又はＷｉＦｉ  ＣＰＵによって実行される、オペレーティングシステムプログラム、又は、コンテナソフトウェア、又は、ＷｉＦｉ  ＣＰＵに必要な必須ソフトウェアなどのソフトウェア主導プログラムは、ストレージ媒体に記憶され得て、対応するプロセッサによって実行され得る。
【０１３４】
本願は、本願の実施形態に係る方法、デバイス（システム）及びコンピュータプログラム製品のフローチャート及び／又はブロック図を参照して説明される。コンピュータプログラム命令は、フローチャート及び／又はブロック図における各プロセス及び／又は各ブロックと、フローチャート及び／又はブロック図におけるプロセス及び／又はブロックの組み合わせを実装するために使用され得ることを理解されたい。これらのコンピュータプログラム命令は、汎用コンピュータ、専用コンピュータ、組み込みプロセッサ、又は任意の他のプログラム可能なデータ処理デバイスのプロセッサに提供されて機械を形成し得て、その結果、コンピュータ又は任意の他のプログラム可能なデータ処理デバイスのプロセッサによって実行される命令は、フローチャートにおける１又は複数のプロセス及び／又はブロック図における１又は複数のブロックの特定の機能を実装する装置を生成する。
【０１３５】
これらのコンピュータプログラム命令は、コンピュータ可読メモリに記憶され得て、コンピュータ又は任意の他のプログラム可能なデータ処理デバイスに特定の方式で動作するように命令することができ、これにより、コンピュータ可読メモリに記憶された命令は、命令装置を含むアーティファクトを生み出す。命令装置は、フローチャートにおける１若しくは複数のプロセス、及び／又は、ブロック図における１若しくは複数のブロックの特定の機能を実装する。
【０１３６】
これらのコンピュータプログラム命令は、コンピュータ又は別のプログラム可能データ処理デバイス上にロードされ得て、その結果、一連の動作及び段階が、コンピュータ又は別のプログラム可能デバイスにおいて実行され、これにより、コンピュータ実装処理が生み出される。従って、コンピュータ又は別のプログラム可能デバイスにおいて実行された命令は、フローチャートの１又は複数のプロセス、及び／又はブロック図の１又は複数のブロックにおける特定の機能を実装するための段階を提供する。
【０１３７】
本願のいくつかの好ましい実施形態を説明したが、当業者であれば、基本的な発明の概念を知れば、これらの実施形態に変更及び修正を加えることができる。従って、以下の特許請求の範囲は、好ましい実施形態、並びに、本願の範囲内に属するすべての変更及び修正を包含するように解釈されることを意図している。
【０１３８】
当然ながら、当業者であれば、本願の実施形態の思想及び範囲から逸脱することなく、本願の実施形態に様々な修正及び変更を加えることができる。本願は、以下の特許請求の範囲及びそれらの均等技術によって定義される保護の範囲内に属していれば、これらの修正及び変更を包含することが意図されている。
【図１】
2019520726.tif 000003
【図２】
2019520726.tif 000004
【図３】
2019520726.tif 000005
【図４Ａ】
2019520726.tif 000006
【図４Ｂ】
2019520726.tif 000007
【図５】
2019520726.tif 000008
【図６】
2019520726.tif 000009
【図７】
2019520726.tif 000010
【図８Ａ】
2019520726.tif 000011
【図８Ｂ】
2019520726.tif 000012
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ワイヤレスフィデリティＷｉＦｉネットワークにアクセスするための方法であって、
前記方法は端末に適用され、前記端末は、Ｎ個のＷｉＦｉアクセス回路及び少なくとも１つのプロセッサを有し、前記少なくとも１つのプロセッサは、Ｍ個のコンテナを形成するためにソフトウェアプログラムを実行するように構成され、各コンテナは、１つのＷｉＦｉネットワークアクセスサービスに対応し、前記Ｍ個のコンテナは、同時に動作可能であり、異なるコンテナの動作中の異なるＷｉＦｉネットワークアクセスサービスのタスク及びデータは互いから隔離され、前記方法は、
前記Ｍ個のコンテナのうち第１コンテナが動作する場合、前記端末が、前記Ｎ個のＷｉＦｉアクセス回路のうち第１ＷｉＦｉアクセス回路を使用することによって、第１ＷｉＦｉネットワークにアクセスする段階と、
前記端末が、前記第１コンテナの動作から、前記Ｍ個のコンテナのうち第２コンテナの動作に切り替わるとき、前記端末が、前記Ｎ個のＷｉＦｉアクセス回路のうち第２ＷｉＦｉアクセス回路を使用することによって、第２ＷｉＦｉネットワークにアクセスする段階であって、前記第１コンテナはバックグラウンド実行方式で動作を継続し、前記端末は、前記第１ＷｉＦｉアクセス回路を使用して前記第１ＷｉＦｉネットワークにアクセスすることを継続する、段階と
を備え、
Ｍ及びＮは２以上の自然数である、
方法。
【請求項２】
第１コンテナが動作する場合、前記端末が、前記Ｎ個のＷｉＦｉアクセス回路のうち第１ＷｉＦｉアクセス回路を使用することによって第１ＷｉＦｉネットワークにアクセスする前記段階は、
前記端末が、コンテナとＷｉＦｉアクセス回路との間の予め設定されたマッピング関係に従って、前記Ｎ個のＷｉＦｉアクセス回路のうち前記第１コンテナに対応する前記第１ＷｉＦｉアクセス回路を使用することによって、前記第１ＷｉＦｉネットワークにアクセスする段階
を含み、
前記端末が前記第２コンテナの動作に切り替わるとき、前記端末が、前記Ｎ個のＷｉＦｉアクセス回路のうち第２ＷｉＦｉアクセス回路を使用することによって第２ＷｉＦｉネットワークにアクセスする前記段階は、
前記端末が、前記マッピング関係に従って、前記Ｎ個のＷｉＦｉアクセス回路のうち前記第２コンテナに対応する前記第２ＷｉＦｉアクセス回路を使用することによって、前記第２ＷｉＦｉネットワークにアクセスする段階
を含む、
請求項１に記載の方法。
【請求項３】
前記端末は更に、ＷｉＦｉプロセッサを備え、
前記端末が、コンテナとＷｉＦｉアクセス回路との間の予め設定されたマッピング関係に従って、前記Ｎ個のＷｉＦｉアクセス回路のうち前記第１コンテナに対応する前記第１ＷｉＦｉアクセス回路を使用することによって、前記第１ＷｉＦｉネットワークにアクセスする前記段階は、
前記端末の前記ＷｉＦｉプロセッサが、コンテナとＷｉＦｉアクセス回路との間の前記予め設定されたマッピング関係に従って、前記Ｎ個のＷｉＦｉアクセス回路のうち前記第１コンテナに対応する前記第１ＷｉＦｉアクセス回路を使用することによって、前記第１ＷｉＦｉネットワークにアクセスする段階
を含み、
前記端末が、前記マッピング関係に従って、前記Ｎ個のＷｉＦｉアクセス回路のうち前記第２コンテナに対応する前記第２ＷｉＦｉアクセス回路を使用することによって、前記第２ＷｉＦｉネットワークにアクセスする前記段階は、
前記端末の前記ＷｉＦｉプロセッサが、前記マッピング関係に従って、前記Ｎ個のＷｉＦｉアクセス回路のうち前記第２コンテナに対応する前記第２ＷｉＦｉアクセス回路を使用することによって、前記第２ＷｉＦｉネットワークにアクセスする段階
を含む、
請求項２に記載の方法。
【請求項４】
前記Ｎ個のＷｉＦｉアクセス回路のうち前記第１コンテナに対応する前記第１ＷｉＦｉアクセス回路を使用することによって、前記第１ＷｉＦｉネットワークがアクセスされるとき、前記方法は更に、
前記端末の前記ＷｉＦｉプロセッサが、前記第１ＷｉＦｉネットワークへのアクセスに関する、チャネルリソーススケジューリング、媒体アクセス制御又は暗号化／復号化のうちの少なくとも１つを実行する段階を備え、
前記Ｎ個のＷｉＦｉアクセス回路のうち前記第２コンテナに対応する前記第２ＷｉＦｉアクセス回路を使用することによって、前記第２ＷｉＦｉネットワークがアクセスされるとき、前記方法は更に、前記端末の前記ＷｉＦｉプロセッサが、前記第２ＷｉＦｉネットワークへのアクセスに関する、チャネルリソーススケジューリング、媒体アクセス制御又は暗号化／復号化のうちの少なくとも１つを実行する段階を備える、
請求項３に記載の方法。
【請求項５】
各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項１から４のいずれか一項に記載の方法。
【請求項６】
Ｍ及びＮの両方は２に等しい、請求項１から５のいずれか一項に記載の方法。
【請求項７】
ワイヤレスフィデリティＷｉＦｉネットワークにアクセスするための装置であって、
前記装置は、同時に動作可能なＭ個のコンテナ及びＷｉＦｉモジュールを備え、各コンテナは、１つのＷｉＦｉネットワークアクセスサービスに対応し、異なるコンテナの動作中の異なるＷｉＦｉネットワークアクセスサービスのタスク及びデータは互いから隔離され、前記Ｍ個のコンテナは第１コンテナ及び第２コンテナを含み、
前記ＷｉＦｉモジュールは、前記第１コンテナが動作する場合、第１ＷｉＦｉアクセス回路を使用することによって第１ＷｉＦｉネットワークにアクセスするように構成され、更に、前記装置が前記第１コンテナの動作から、前記第２コンテナの動作に切り替わるとき、第２ＷｉＦｉアクセス回路を使用することによって、第２ＷｉＦｉネットワークにアクセスするように構成され、
前記第１コンテナは更に、前記ＷｉＦｉモジュールが、前記第２ＷｉＦｉアクセス回路を使用することによって、前記第２ＷｉＦｉネットワークにアクセスするとき、バックグラウンド実行方式で動作を継続するように構成され、前記ＷｉＦｉモジュールは更に、前記第１ＷｉＦｉアクセス回路を使用して前記第１ＷｉＦｉネットワークにアクセスすることを継続するように構成され、
Ｍ及びＮは、２以上の自然数である、
装置。
【請求項８】
前記ＷｉＦｉモジュールは、コンテナとＷｉＦｉアクセス回路との間の予め設定されたマッピング関係に従って、前記第１コンテナに対応する前記第１ＷｉＦｉアクセス回路を使用することによって、前記第１ＷｉＦｉネットワークにアクセスし、前記マッピング関係に従って、前記第２コンテナに対応する前記第２ＷｉＦｉアクセス回路を使用することによって、前記第２ＷｉＦｉネットワークにアクセスするように構成される、請求項７に記載の装置。
【請求項９】
前記ＷｉＦｉモジュールは更に、
前記第１コンテナに対応する前記第１ＷｉＦｉアクセス回路を使用することによって、前記第１ＷｉＦｉネットワークにアクセスするとき、前記第１ＷｉＦｉネットワークへのアクセスに関する、チャネルリソーススケジューリング、媒体アクセス制御、又は、暗号化／復号化のうちの少なくとも１つを実行するように、及び、
前記第２コンテナに対応する前記第２ＷｉＦｉアクセス回路を使用することによって、前記第２ＷｉＦｉネットワークにアクセスするとき、前記第２ＷｉＦｉネットワークへのアクセスに関する、チャネルリソーススケジューリング、媒体アクセス制御、又は、暗号化／復号化のうちの少なくとも１つを実行するように
構成される、請求項８に記載の装置。
【請求項１０】
各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項７から９のいずれか一項に記載の装置。
【請求項１１】
Ｍ及びＮの両方は２に等しい、請求項７から１０のいずれか一項に記載の装置。
【請求項１２】
請求項１から６のいずれか一項に記載の方法を実行するためのコンピュータプログラム命令を記憶するコンピュータ可読記憶媒体。
【請求項１３】
請求項１から６のいずれか一項に記載の方法を実行するためのコンピュータプログラム命令を含むコンピュータプログラム。
【手続補正２】
【補正対象書類名】明細書
【補正対象項目名】全文
【補正方法】変更
【補正の内容】
【発明の詳細な説明】
【技術分野】
【０００１】
本願は、２０１６年５月２７日に中国特許庁に出願された、「ＷｉＦｉネットワークにアクセスするための方法及び装置」と題する中国特許出願第２０１６１０３７０６４３．４号への優先権を主張するものであり、その全体は参照により本明細書に組み込まれる。
【０００２】
本願は、ワイヤレスフィデリティ（ＷｉＦｉ）技術の分野に関し、特に、ＷｉＦｉネットワークにアクセスするための方法及び装置に関する。
【背景技術】
【０００３】
ＷｉＦｉは、端末がワイヤレスローカルエリアネットワーク（ＷＬＡＮ）に接続されることを可能にし、概して、２．４ＧＨｚ又は５ＧＨｚの無線周波数帯域で動作する。ブルートゥース（登録商標）技術と同様に、ＷｉＦｉ技術も短距離無線通信技術であり、ネットワーク伝送規格であり、既に日常生活に広く適用されている。例えば、家、空港、コーヒーショップ、ショッピングモールなどのエリアにおいて、ユーザは、モバイル電子デバイス（すなわち端末）を使用してＷｉＦｉアクセスポイント（ＡＰ）又はＷｉＦｉホットスポットにアクセスすることによって、高速ネットワークを体験できる。
【０００４】
場合によっては、使用中に端末が２つのＷｉＦｉ（登録商標）ＡＰに同時にアクセスする必要があり得て、換言すれば、端末はＷｉＦｉデュアルコネクティビティの要件を有する。現在、端末は、２つの独立したＷｉＦｉ接続チャネルを使用することによって、２つの異なるＷｉＦｉネットワークに接続され得て、２つのＷｉＦｉネットワークは、同一の周波数帯域、又は、異なる無線周波数帯域で動作する。例えば、端末に接続された１つのＷｉＦｉネットワークは、２．４ＧＨｚの無線周波数帯域で動作し、他のＷｉＦｉネットワークは、５ＧＨｚの無線周波数帯域で動作する。あるいは、２つのＷｉＦｉネットワークは各々、５ＧＨｚの無線周波数帯域で動作する。そのようなＷｉＦｉデュアルコネクティビティ技術により、データトラフィックの改善、複数の種類の適用のサポート、及び、同様のことが可能となる。
【０００５】
既存のＷｉＦｉデュアルコネクティビティ技術は主に、端末ハードウェア設計に基づいて、適切なソフトウェア層設計無しで実装される。従って、ＷｉＦｉデュアルコネクティビティをサポートする適切なソフトウェアアーキテクチャをいかにして設計するかが課題となっている。
【発明の概要】
【０００６】
本願の実施形態は、２又はより多くのＷｉＦｉネットワークに同時に接続される端末をサポートするように、端末がＷｉＦｉネットワークにアクセスするための方法及び装置を提供し、従って、ＷｉＦｉネットワークはより安全に、及び、より円滑な方式で適用される。
【０００７】
本願の実施形態は、以下の具体的な技術的解決手段を提供する。
【０００８】
一態様によれば、本願の実施形態は、ＷｉＦｉネットワークにアクセスするための方法を提供する。方法は端末に適用され、端末は、Ｎ個のＷｉＦｉアクセス回路及び少なくとも１つのプロセッサを備え、少なくとも１つのプロセッサは、Ｍ個のコンテナを形成するためにソフトウェアプログラムを実行するように構成され、１つのコンテナは、１つのオペレーティングシステムと同等であり得て、異なるコンテナの間で切り替え動作が実行され得て、各コンテナは、１つのＷｉＦｉネットワークアクセスサービスに対応し、Ｍ個のコンテナは、同時に動作することが可能であり、異なるコンテナの動作中の異なるＷｉＦｉネットワークアクセスサービスのタスク及びデータは互いから隔離され、Ｍ及びＮは、２以上の自然数である。方法は、Ｍ個のコンテナのうち第１コンテナが動作する場合、端末が、Ｎ個のＷｉＦｉアクセス回路のうち第１ＷｉＦｉアクセス回路を使用することによって、第１ＷｉＦｉネットワークにアクセスする段階と、端末が第１コンテナの動作から、Ｍ個のコンテナのうち第２コンテナの動作に切り替わるとき、端末が、Ｎ個のＷｉＦｉアクセス回路のうち第２ＷｉＦｉアクセス回路を使用することによって、第２ＷｉＦｉネットワークにアクセスする段階であって、第１コンテナがバックグラウンド実行方式で動作を継続し、端末は、第１ＷｉＦｉアクセス回路を使用して第１ＷｉＦｉネットワークにアクセスすることを継続する、段階とを備える。このようにして、第２コンテナの動作に切り替わるとき、端末は、第２ＷｉＦｉアクセス回路を使用して、第２ＷｉＦｉネットワークにアクセスする。第１ＷｉＦｉアクセス回路及び第２ＷｉＦｉアクセス回路は互い独立し、従って、端末はバックグラウンドにおいて第１ＷｉＦｉアクセス回路を使用して第１ＷｉＦｉネットワークにアクセスすることを継続でき、サービスは中断されず、それにより、ＷｉＦｉネットワークアプリケーションは、より安全になり、サービスはより円滑になり、ユーザエクスペリエンスが改善する。
【０００９】
可能な設計において、第１コンテナが動作する場合、端末が、Ｎ個のＷｉＦｉアクセス回路のうち第１ＷｉＦｉアクセス回路を使用することによって第１ＷｉＦｉネットワークにアクセスする段階は、端末が、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスする段階を含み、端末が第２コンテナの動作に切り替わるとき、端末が、Ｎ個のＷｉＦｉアクセス回路のうち第２ＷｉＦｉアクセス回路を使用することによって第２ＷｉＦｉネットワークにアクセスする段階は、端末が、マッピング関係に従って、Ｎ個のＷｉＦｉアクセス回路のうち第２コンテナに対応する第２ＷｉＦｉアクセス回路を使用することによって、第２ＷｉＦｉネットワークにアクセスする段階を含む。
【００１０】
可能な設計において、端末は更に、ＷｉＦｉプロセッサを備え、端末が、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスする段階は、端末のＷｉＦｉプロセッサが、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスする段階を含み、端末が、マッピング関係に従って、Ｎ個のＷｉＦｉアクセス回路のうち第２コンテナに対応する第２ＷｉＦｉアクセス回路を使用することによって、第２ＷｉＦｉネットワークにアクセスする段階は、端末のＷｉＦｉプロセッサが、マッピング関係に従って、Ｎ個のＷｉＦｉアクセス回路のうち第２コンテナに対応する第２ＷｉＦｉアクセス回路を使用することによって、第２ＷｉＦｉネットワークにアクセスする段階を含む。このようにして、端末が異なるコンテナの動作の間で切り替わるとき、ＷｉＦｉプロセッサは、異なるＷｉＦｉアクセス回路を使用して、異なるＷｉＦｉネットワークにアクセスし、それにより、フォアグラウンドオペレーティングシステムとバックグラウンドオペレーティングシステムとの間の切り替え動作中に、ハードウェア設計の欠陥に起因するＷｉＦｉネットワークの中断が発生しない。
【００１１】
可能な設計において、Ｎ個のＷｉＦｉアクセス回路のうち第１コンテナに対応する第１ＷｉＦｉアクセス回路を使用することによって、第１ＷｉＦｉネットワークがアクセスされるとき、方法は更に、端末のＷｉＦｉプロセッサが、第１ＷｉＦｉネットワークへのアクセスに関する、チャネルリソーススケジューリング、媒体アクセス制御又は暗号化／復号化のうちの少なくとも１つを実行する段階を備え、Ｎ個のＷｉＦｉアクセス回路のうち第２コンテナに対応する第２ＷｉＦｉアクセス回路を使用することによって、第２ＷｉＦｉネットワークがアクセスされるとき、方法は更に、端末のＷｉＦｉプロセッサが、第２ＷｉＦｉネットワークへのアクセスに関する、チャネルリソーススケジューリング、媒体アクセス制御又は暗号化／復号化のうちの少なくとも１つを実行する段階とを備える。
【００１２】
可能な設計において、各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００１３】
可能な設計において、Ｍ及びＮの両方は２に等しい。
【００１４】
別の態様によれば、本願の実施形態は、ＷｉＦｉネットワークにアクセスするための方法を提供する。方法は端末に適用され、端末は、Ｎ個のＷｉＦｉアクセス回路及び少なくとも１つのプロセッサを備え、少なくとも１つのプロセッサは、コンテナを形成するためにソフトウェアプログラムを実行するように構成され、コンテナはまた、オペレーティングシステムと称され得て、コンテナは、第１ＷｉＦｉネットワークアクセスサービス及び第２ＷｉＦｉネットワークアクセスサービスの両方をサポートする。方法は、第１ＷｉＦｉネットワークにアクセスするためのアクセス要求を受信するとき、端末が、Ｎ個のＷｉＦｉアクセス回路のうち第１ＷｉＦｉアクセス回路を使用することによって、第１ＷｉＦｉネットワークにアクセスする段階と、第１ＷｉＦｉアクセス回路を使用して第１ＷｉＦｉネットワークにアクセスするという状況下で、第２ＷｉＦｉネットワークにアクセスするためのアクセス要求を端末が受信するとき、端末が、Ｎ個のＷｉＦｉアクセス回路のうち第２ＷｉＦｉアクセス回路を使用することによって、第２ＷｉＦｉネットワークにアクセスする段階と、端末が、第１ＷｉＦｉネットワークアクセス識別子及び第２ＷｉＦｉネットワークアクセス識別子を、コンテナに対応する表示インタフェース上に同期させて表示する段階であって、第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す、段階とを備え、Ｎは２以上の自然数である。上述の方法によれば、１個の端末は、２又はより多くの異なるＷｉＦｉ（登録商標）ＡＰに同時に接続することができ、すなわち、ＷｉＦｉデュアルスタンバイ又はマルチスタンバイ機能が実装され、それにより、ＷｉＦｉネットワークは２つのＷｉＦｉ（登録商標）ＡＰ間での切り替え動作中に中断されず、サービスはより円滑になり、ユーザエクスペリエンスが改善する。新しいインタフェース方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式を実装できる。
【００１５】
可能な設計において、端末が第１ＷｉＦｉネットワーク及び第２ＷｉＦｉネットワークにアクセスした後に、端末は、第１ＷｉＦｉネットワークの接続信号強度、及び、第２ＷｉＦｉネットワークの接続信号強度を表示インタフェース上に同期させて表示する。
【００１６】
可能な設計において、端末が第１ＷｉＦｉネットワーク及び第２ＷｉＦｉネットワークにアクセスした後に、方法は更に、検出された、ユーザによって入力されたＷｉＦｉネットワーク接続方式に従って、端末が、第１ＷｉＦｉネットワーク又は第２ＷｉＦｉネットワークのうちの少なくとも１つを選択して、データサービスを搬送させる段階を備える。
【００１７】
可能な設計において、ＷｉＦｉネットワーク接続方式は、ＷｉＦｉネットワークを選択して、データサービスを搬送させるために、ユーザによって使用される。端末が第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させる。あるいは、端末は、検出された、ユーザによって入力されたＷｉＦｉネットワーク接続方式に従って、ユーザによって指定されたＷｉＦｉネットワークを選択して、データサービスを搬送させる。あるいは、端末は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。このようにして、好ましいＷｉＦｉが選択され、取得されたＷｉＦｉネットワークのサービスがより良くなり、ＷｉＦｉマルチシステムコンカレンスを実装するために複数のＷｉＦｉシステムが使用され、異なるＷｉＦｉシステムが異なるサービスに使用され、それにより、すべての異なるサービスは、より円滑なネットワークサービスを取得できる。
【００１８】
可能な設計において、端末が、ロードバランシングポリシーに従って、第１ＷｉＦｉネットワーク及び第２ＷｉＦｉネットワークを選択して、データサービスを共に搬送させることは、端末が、第１ＷｉＦｉネットワーク及び第２ＷｉＦｉネットワークのトラフィックバランシングポリシーに従って、第１ＷｉＦｉネットワーク及び第２ＷｉＦｉネットワークを使用して、データサービスを搬送することを含む。あるいは、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用して、データサービスを搬送する。このように、異なるＷｉＦｉネットワークがデータサービスを共に搬送するとき、トラフィックをバランシングできる。
【００１９】
可能な設計において、端末は更にＷｉＦｉプロセッサを備え、方法は更に、端末のＷｉＦｉプロセッサが、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行する段階を備える。
【００２０】
可能な設計において、コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００２１】
更に別の態様によれば、本願の実施形態は、ＷｉＦｉネットワークにアクセスするための装置を提供する。装置は、同時に動作可能なＭ個のコンテナ及びＷｉＦｉモジュールを備え、各コンテナは、１つのＷｉＦｉネットワークアクセスサービスに対応し、異なるコンテナの動作中の異なるＷｉＦｉネットワークアクセスサービスのタスク及びデータは互いから隔離され、Ｍ個のコンテナは第１コンテナ及び第２コンテナを含み、ＷｉＦｉモジュールは、第１コンテナが動作する場合、第１ＷｉＦｉアクセス回路を使用することによって第１ＷｉＦｉネットワークにアクセスするように構成され、更に、装置が第１コンテナの動作から、第２コンテナの動作に切り替わるとき、第２ＷｉＦｉアクセス回路を使用することによって、第２ＷｉＦｉネットワークにアクセスするように構成され、第１コンテナは更に、ＷｉＦｉモジュールが、第２ＷｉＦｉアクセス回路を使用することによって、第２ＷｉＦｉネットワークにアクセスするとき、バックグラウンド実行方式で動作を継続するように構成され、ＷｉＦｉモジュールは更に、第１ＷｉＦｉアクセス回路を使用して第１ＷｉＦｉネットワークにアクセスすることを継続するように構成され、Ｍ及びＮは、２以上の自然数である。このようにして、端末は、第２コンテナの動作に切り替わるとき、第２ＷｉＦｉアクセス回路を使用して第２ＷｉＦｉネットワークにアクセスする。第１ＷｉＦｉアクセス回路及び第２ＷｉＦｉアクセス回路は互い独立し、従って、端末はバックグラウンドにおいて第１ＷｉＦｉアクセス回路を使用して第１ＷｉＦｉネットワークにアクセスすることを継続でき、サービスは中断されず、それにより、ＷｉＦｉネットワークアプリケーションは、より安全になり、サービスはより円滑になり、ユーザエクスペリエンスが改善する。
【００２２】
可能な設計において、ＷｉＦｉモジュールは、コンテナとＷｉＦｉアクセス回路との間の予め設定されたマッピング関係に従って、第１コンテナに対応する第１ＷｉＦｉアクセス回路を使用することによって、第１ＷｉＦｉネットワークにアクセスするように、及び、マッピング関係に従って、第２コンテナに対応する第２ＷｉＦｉアクセス回路を使用することによって、第２ＷｉＦｉネットワークにアクセスするように構成される。
【００２３】
可能な設計において、ＷｉＦｉモジュールは更に、第１コンテナに対応する第１ＷｉＦｉアクセス回路を使用することによって、第１ＷｉＦｉネットワークにアクセスするとき、第１ＷｉＦｉネットワークへのアクセスに関する、チャネルリソーススケジューリング、媒体アクセス制御、又は、暗号化／復号化のうちの少なくとも１つを実行するように、及び、第２コンテナに対応する第２ＷｉＦｉアクセス回路を使用することによって、第２ＷｉＦｉネットワークにアクセスするとき、第２ＷｉＦｉネットワークへのアクセスに関する、チャネルリソーススケジューリング、媒体アクセス制御、又は、暗号化／復号化のうちの少なくとも１つを実行するように構成される。
【００２４】
可能な設計において、各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００２５】
可能な設計において、Ｍ及びＮは両方とも２に等しい。
【００２６】
更に別の態様によれば、本願の実施形態は、ＷｉＦｉネットワークにアクセスするための装置を提供する。装置は、第１ＷｉＦｉネットワークアクセスサービス及び第２ＷｉＦｉネットワークアクセスサービスの両方をサポートするコンテナと、ＷｉＦｉモジュールとを備え、コンテナは表示モジュールを含み、ＷｉＦｉモジュールは、第１ＷｉＦｉネットワークにアクセスするためのアクセス要求が受信されたとき、第１ＷｉＦｉアクセス回路を使用することによって第１ＷｉＦｉネットワークにアクセスするように構成され、更に、第１ＷｉＦｉアクセス回路を使用して第１ＷｉＦｉネットワークにアクセスするという状況下で、第２ＷｉＦｉネットワークにアクセスするためのアクセス要求が受信されたとき、第２ＷｉＦｉアクセス回路を使用することによって第２ＷｉＦｉネットワークにアクセスするように構成され、表示モジュールは、ＷｉＦｉモジュールが第１ＷｉＦｉネットワーク及び第２ＷｉＦｉネットワークにアクセスした後に、第１ＷｉＦｉネットワークアクセス識別子及び第２ＷｉＦｉネットワークアクセス識別子を、コンテナに対応する表示インタフェースに同期させて表示するように構成され、第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。上述の方法によれば、１個の端末を２又はより多くの異なるＷｉＦｉ（登録商標）ＡＰに同時に接続できる、すなわち、ＷｉＦｉデュアルスタンバイ又はマルチスタンバイ機能が実装され、それにより、ＷｉＦｉネットワークが２つのＷｉＦｉ（登録商標）ＡＰの間での切り替え動作中に中断されず、サービスがより円滑になり、ユーザエクスペリエンスが改善する。新しいインタフェース表示方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式を実装できる。
【００２７】
可能な設計において、表示モジュールは更に、第１ＷｉＦｉネットワークの接続信号強度及び第２ＷｉＦｉネットワークの接続信号強度を表示インタフェースに同期させて表示するように構成される。
【００２８】
可能な設計において、装置又はコンテナは更に、サービス分配モジュールを含み、サービス分配モジュールは、ＷｉＦｉモジュールが第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。
【００２９】
可能な設計において、ＷｉＦｉネットワーク接続方式は、ＷｉＦｉネットワークを選択して、データサービスを搬送させるために、ユーザによって使用される。端末が第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させる。あるいは、端末は、検出された、ユーザによって入力されたＷｉＦｉネットワーク接続方式に従って、ユーザによって指定されたＷｉＦｉネットワークを選択して、データサービスを搬送させる。あるいは、端末は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。このようにして、好ましいＷｉＦｉが選択され、取得されたＷｉＦｉネットワークのサービスがより良くなり、ＷｉＦｉマルチシステムコンカレンスを実装するために複数のＷｉＦｉシステムが使用され、異なるＷｉＦｉシステムが異なるサービスに使用され、それにより、すべての異なるサービスは、より円滑なネットワークサービスを取得できる。
【００３０】
可能な設計において、端末が、ロードバランシングポリシーに従って、第１ＷｉＦｉネットワーク及び第２ＷｉＦｉネットワークを選択して、データサービスを共に搬送させることは、端末が、第１ＷｉＦｉネットワーク及び第２ＷｉＦｉネットワークのトラフィックバランシングポリシーに従って、第１ＷｉＦｉネットワーク及び第２ＷｉＦｉネットワークを使用して、データサービスを搬送することを含む。あるいは、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用して、データサービスを搬送する。このようにして、異なるＷｉＦｉネットワークがデータサービスを共に搬送するとき、トラフィックをバランシングできる。
【００３１】
可能な設計において、ＷｉＦｉモジュールは更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【００３２】
可能な設計において、コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００３３】
更に別の態様によれば、本願の実施形態は、ＷｉＦｉプロセッサ、Ｎ個のＷｉＦｉアクセス回路、メモリ、及び、少なくとも１つのプロセッサを備える端末を提供する。メモリはソフトウェアプログラムを記憶するように構成される。少なくとも１つのプロセッサはメモリに結合され、Ｍ個のコンテナを形成するために、ソフトウェアプログラムをメモリから読み込み、ソフトウェアプログラムを実行するように構成され、Ｍ個のコンテナは、同時に実行可能であり、各コンテナは、１つのＷｉＦｉネットワークアクセスサービスに対応し、異なるコンテナの動作中の異なるＷｉＦｉネットワークアクセスサービスのタスク及びデータは互いから隔離され、ＷｉＦｉプロセッサは、Ｍ個のコンテナのうち第１コンテナが動作する場合、Ｎ個のＷｉＦｉアクセス回路のうち第１ＷｉＦｉアクセス回路を使用することによって、第１ＷｉＦｉネットワークにアクセスするように構成され、更に、端末が第１コンテナの動作から、Ｍ個のコンテナのうち第２コンテナの動作に切り替わるとき、Ｎ個のＷｉＦｉアクセス回路のうち第２ＷｉＦｉアクセス回路を使用することによって、第２ＷｉＦｉネットワークにアクセスするように構成され、少なくとも１つのプロセッサは更に、ＷｉＦｉプロセッサが第２ＷｉＦｉアクセス回路を使用することによって、第２ＷｉＦｉネットワークにアクセスするとき、バックグラウンド実行方式で第１コンテナの実行を継続するように構成され、ＷｉＦｉプロセッサは更に、第１ＷｉＦｉアクセス回路を使用して第１ＷｉＦｉネットワークにアクセスすることを継続するように構成され、Ｎ個のＷｉＦｉアクセス回路の各々は、１つの対応するＷｉＦｉネットワークにアクセスするために使用され、Ｍ及びＮは、２以上の自然数である。このようにして、第２コンテナの動作に切り替わるとき、端末は、第２ＷｉＦｉアクセス回路を使用して、第２ＷｉＦｉネットワークにアクセスする。第１ＷｉＦｉアクセス回路及び第２ＷｉＦｉアクセス回路は互い独立し、従って、端末はバックグラウンドにおいて第１ＷｉＦｉアクセス回路を使用して第１ＷｉＦｉネットワークにアクセスすることを継続でき、サービスは中断されず、それにより、ＷｉＦｉネットワークアプリケーションは、より安全になり、サービスはより円滑になり、ユーザエクスペリエンスが改善する。
【００３４】
可能な設計において、ＷｉＦｉプロセッサは、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスするように、及び、マッピング関係に従って、Ｎ個のＷｉＦｉアクセス回路のうち第２コンテナに対応する第２ＷｉＦｉアクセス回路を使用することによって、第２ＷｉＦｉネットワークにアクセスするように構成される。
【００３５】
可能な設計において、ＷｉＦｉプロセッサは更に、Ｎ個のＷｉＦｉアクセス回路のうち第１コンテナに対応する第１ＷｉＦｉアクセス回路を使用することによって、第１ＷｉＦｉネットワークにアクセスするとき、第１ＷｉＦｉネットワークへのアクセスに関する、チャネルリソーススケジューリング、媒体アクセス制御、又は、暗号化／復号化のうちの少なくとも１つを実行するように、及び、Ｎ個のＷｉＦｉアクセス回路のうち第２コンテナに対応する第２ＷｉＦｉアクセス回路を使用することによって、第２ＷｉＦｉネットワークにアクセスするとき、第２ＷｉＦｉネットワークへのアクセスに関する、チャネルリソーススケジューリング、媒体アクセス制御、又は、暗号化／復号化のうちの少なくとも１つを実行するように構成される。
【００３６】
可能な設計において、各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００３７】
可能な設計において、Ｍ及びＮは両方とも２に等しい。
【００３８】
更に別の態様によれば、本願の実施形態は端末を提供する。端末は、ＷｉＦｉプロセッサ、Ｎ個のＷｉＦｉアクセス回路、メモリ及び少なくとも１つのプロセッサを備える。メモリは、ソフトウェアプログラムを記憶するように構成され、少なくとも１つのプロセッサは、メモリに結合され、コンテナを形成するために、ソフトウェアプログラムをメモリから読み込み、ソフトウェアプログラムを実行するように構成され、コンテナは第１ＷｉＦｉネットワークアクセスサービス及び第２ＷｉＦｉネットワークアクセスサービスを両方ともサポートし、ＷｉＦｉプロセッサは、第１ＷｉＦｉネットワークにアクセスするためのアクセス要求が受信されたとき、Ｎ個のＷｉＦｉアクセス回路のうち第１ＷｉＦｉアクセス回路を使用することによって第１ＷｉＦｉネットワークにアクセスするように、及び、第１ＷｉＦｉアクセス回路を使用して第１ＷｉＦｉネットワークにアクセスするという状況下で、第２ＷｉＦｉネットワークにアクセスするためのアクセス要求が受信されたとき、Ｎ個のＷｉＦｉアクセス回路のうち第２ＷｉＦｉアクセス回路を使用することによって、第２ＷｉＦｉネットワークにアクセスするように構成され、少なくとも１つのプロセッサは、第１ＷｉＦｉネットワークアクセス識別子及び第２ＷｉＦｉネットワークアクセス識別子を同期させて表示するために、コンテナに対応する表示インタフェースを駆動するように構成され、第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表し、Ｎは２以上の自然数である。上述の方法によれば、１個の端末は、２又はより多くの異なるＷｉＦｉ（登録商標）ＡＰに同時に接続できる、すなわち、ＷｉＦｉデュアルスタンバイ又はマルチスタンバイ機能が実装され、それにより、２つのＷｉＦｉ（登録商標）ＡＰの間での切り替え動作中にＷｉＦｉネットワークが中断されず、サービスがより円滑になり、ユーザエクスペリエンスが改善する。新しいインタフェース方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式を実装できる。
【００３９】
可能な設計において、端末は更にディスプレイを備え、表示インタフェースがディスプレイ上に表示される。
【００４０】
可能な設計において、少なくとも１つのプロセッサは更に、第１ＷｉＦｉネットワークの接続信号強度、及び、第２ＷｉＦｉネットワークの接続信号強度を同期させて表示するために表示インタフェースを駆動するように構成される。
【００４１】
可能な設計において、ＷｉＦｉプロセッサは更に、第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。
【００４２】
可能な設計において、ＷｉＦｉネットワーク接続方式は、ＷｉＦｉネットワークを選択して、データサービスを搬送させるために、ユーザによって使用される。端末が第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させる。あるいは、端末は、検出された、ユーザによって入力されたＷｉＦｉネットワーク接続方式に従って、ユーザによって指定されたＷｉＦｉネットワークを選択して、データサービスを搬送させる。あるいは、端末は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。このようにして、好ましいＷｉＦｉが選択され、取得されたＷｉＦｉネットワークのサービスがより良くなり、ＷｉＦｉマルチシステムコンカレンスを実装するために複数のＷｉＦｉシステムが使用され、異なるＷｉＦｉシステムが異なるサービスに使用され、それにより、すべての異なるサービスは、より円滑なネットワークサービスを取得できる。
【００４３】
可能な設計において、端末が、ロードバランシングポリシーに従って、第１ＷｉＦｉネットワーク及び第２ＷｉＦｉネットワークを選択して、データサービスを共に搬送させることは、端末が、第１ＷｉＦｉネットワーク及び第２ＷｉＦｉネットワークのトラフィックバランシングポリシーに従って、第１ＷｉＦｉネットワーク及び第２ＷｉＦｉネットワークを使用して、データサービスを搬送することを含む。あるいは、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用して、データサービスを搬送する。このようにして、異なるＷｉＦｉネットワークがデータサービスを共に搬送するとき、トラフィックをバランシングできる。
【００４４】
可能な設計において、ＷｉＦｉプロセッサは更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【００４５】
可能な設計において、コンテナは更に、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００４６】
本願の実施形態において提供される端末によれば、端末は、ソフトウェア層設計を使用することによって、２又はより多くのＷｉＦｉネットワークに同時に接続することをサポートでき、それにより、ＷｉＦｉネットワークがより安全、より円滑な方式で適用される。
【図面の簡単な説明】
【００４７】
【図１】本願の実施形態に係る端末の概略構造図である。
【００４８】
【図２】本願の実施形態に係るＷｉＦｉネットワークにアクセスするための方法のフローチャート１である。
【００４９】
【図３】本願の実施形態に係る、ＷｉＦｉネットワークにアクセスするための装置の概略構造図１である。
【００５０】
【図４Ａ】本願の実施形態に係る端末の内部構造スタックの概略図１である。
【図４Ｂ】本願の実施形態に係る端末の内部構造スタックの概略図１である。
【００５１】
【図５】本願の実施形態に係る、ＷｉＦｉネットワークにアクセスするための方法のフローチャート２である。
【００５２】
【図６】本願の実施形態に係る端末表示インタフェースの概略図である。
【００５３】
【図７】本願の実施形態に係る、ＷｉＦｉネットワークにアクセスするための装置の概略構造図２である。
【００５４】
【図８Ａ】本願の実施形態に係る、端末の内部構造スタックの概略図２である。
【図８Ｂ】本願の実施形態に係る、端末の内部構造スタックの概略図２である。
【発明を実施するための形態】
【００５５】
本願の目的、技術的解決手段及び利点をより明確にするべく、以下では添付図面を参照しながら、本願を更に詳細に説明する。当然ながら、説明される実施形態は、本願の実施形態の全部ではなく、一部に過ぎない。創造的努力なく、本願の実施形態に基づいて当業者によって得られたすべての他の実施形態は、本願の保護範囲内に属するものとする。
【００５６】
既存のＷｉＦｉデュアルコネクティビティ技術は主に、端末ハードウェア設計に基づいて、及び、適切なソフトウェア層設計無しで実装されているという事実を考慮して、本願の実施形態において提供される端末によれば、ＷｉＦｉデュアルコネクティビティ、及び、更には２つより多くのＷｉＦｉ接続のマルチコネクティビティがサポートされるように、適切なソフトウェアアーキテクチャが設計される。
【００５７】
本願の実施形態において、２又はより多くのオペレーティングシステムを有する端末の設計が実行され、加えて、１つのオペレーティングシステムを有する端末の設計が実行される。詳細な説明は、以下でそれぞれ提供される。
【００５８】
現在、デュアルオペレーティングシステムを有する端末が適用されている。当該端末は、２つの独立したオペレーティングシステムを有する。２つのコンテナが端末内で動作でき、２つのコンテナの間には安全な距離があり、それにより、２つのコンテナの動作中にタスク及びデータが互いから隔離されることが保証され、各オペレーティングシステムの機密性が保証されると考えられ得る。ユーザは、デュアルオペレーティングシステムを有する端末を使用するとき、１つのオペレーティングシステムを使用して仕事上のタスクを実行し、他のオペレーティングシステムを使用して個人的なタスクを実行し得て、その結果、ユーザが異なるオペレーティングシステムの間の切り替え動作を実行するとき、仕事用の情報又は個人用の情報の安全を保証できる。しかしながら、オペレーティングシステムの間の切り替え動作のプロセスにおいて、オペレーティングシステムは、異なるＷｉＦｉ（登録商標）ＡＰに接続される必要がある。上述の課題を考慮して、本願の実施形態は、ＷｉＦｉネットワーク及び端末にアクセスするための方法及び装置を提供する。言及される端末は、少なくとも２つのＷｉＦｉアクセス回路を含み、少なくとも２つのコンテナを形成でき、異なるコンテナが動作する場合、端末は異なるＷｉＦｉアクセス回路を使用して、対応するＷｉＦｉネットワークにアクセスする。このようにして、異なるオペレーティングシステムの間で端末が切り替わるとき、ＷｉＦｉネットワーク接続が中断されないことを保証でき、その結果、ＷｉＦｉネットワークアプリケーションがより安全になり、サービスがより円滑になり、ユーザエクスペリエンスが改善する。
【００５９】
任意選択で、実施形態において言及されるオペレーティングシステムは、Ａｎｄｒｏｉｄ（登録商標）、ｉＯＳ（登録商標）、又は、Ｗｉｎｄｏｗｓ（登録商標）などのオペレーティングシステムであり得る。本願の実施形態において言及される端末は、携帯電話、ノートブックコンピュータ又はタブレットコンピュータなどのモバイル電子デバイスであり得る。
【００６０】
具体的には、図１を参照すると、本願の実施形態における端末１００は、メインチップ１０１、ＷｉＦｉチップ１０２及びメモリ１０３を備える。メモリ１０３は、ソフトウェアプログラムを記憶するように構成される。端末１００によって使用されることができるオペレーティングシステムは、メインチップ１０１にロードされる。メインチップ１０１は、ＷｉＦｉチップ１０２を使用する少なくとも１つの主体、すなわち、メイン中央処理装置（ＣＰＵ）を含み、メインＣＰＵはこれ以降、簡潔にプロセッサと称される。少なくとも１つのプロセッサは、メモリ１０３に結合され、オペレーティングシステム及びアプリケーションソフトウェアを実行するために、メモリからソフトウェアプログラムを読み込むように構成される。ＷｉＦｉ  ＣＰＵ（すなわちＷｉＦｉプロセッサ）１０４は、ＷｉＦｉチップ１０２にロードされる。ＷｉＦｉ  ＣＰＵ１０４は、ＷｉＦｉチップカーネルプロセッサであり、ＷｉＦｉ関連動作機能を主に実装し、例えば、輻輳制御、キャリアアグリゲーション、フレームフィルタリング、鍵制御、フレーム受信／送信管理、及び、同様のことを担う。メインチップ１０１及びＷｉＦｉチップ１０２は、１つのチップに集積され得ることを理解されたい。
【００６１】
Ｎ個のＷｉＦｉアクセス回路がＷｉＦｉチップ１０２に集積され、Ｎは２以上の自然数である。Ｎ個のＷｉＦｉアクセス回路の各々は、１つの対応するＷｉＦｉネットワークにアクセスするために使用され、各ＷｉＦｉアクセス回路は、１つの独立した媒体アクセス制御（ＭＡＣ）１０５、及び、１つの独立した物理層（ＰＨＹ）１０６に対応する。Ｎ個のＭＡＣ１０５及びＮ個のＰＨＹ１０６は、１つのＷｉＦｉ  ＣＰＵ１０４を共有し、同時にデータを受信／送信でき、それにより、デュアルバンドデュアルコンカレント（ＤＢＤＣ）機能を実装する。ＭＡＣ１０５の機能は主に、チャネルアクセス、グループデフレーミング、データ受信／送信、暗号化／復号化、及び、省エネルギー制御を含む。図１に示されるように、ＭＡＣ１０５は、独立したデジタル信号プロセッサのような、独立したハードウェアを使用することによって実装され得る。当然ながら、ＭＡＣ１０５は、ＷｉＦｉ  ＣＰＵ１０４を使用することによって実装され得る。すなわち、ＭＡＣ１０５の機能は、ＷｉＦｉ  ＣＰＵ１０４を使用することによって実装される。図１は、参照のために使用されるに過ぎず、いかなる限定も課さない。ＰＨＹ１０６は主に、デジタルベースバンド処理のような物理層機能を実装する。ＷｉＦｉチップ１０２は無線周波数成分１０７を更に含む。無線周波数成分１０７は、送信中に、ＭＡＣ１０５及びＰＨＹ１０６によって処理されたベースバンド信号を無線周波数信号に変換し、受信中に、アンテナから受信された無線周波数信号をベースバンド信号に変換し、それにより、ＰＨＹ１０６及びＭＡＣ１０５は更なる処理を実行する。ＷｉＦｉ  ＣＰＵ１０４は、ＤＳＰ（デジタル信号プロセッサ）又は独立のＦＰＧＡ（フィールドプログラマブルゲートアレイ）チップに置き換えられ得ることを理解されたい。ＷｉＦｉ処理を実装するプロセッサの具体的な形式は、柔軟に変更可能であり得る。図１は参照のために使用されるに過ぎず、いかなる限定も課さない。
【００６２】
本願のこの実施形態において、メインチップ１０１における少なくとも１つのプロセッサは、Ｍ個のコンテナを形成するようにソフトウェアプログラムを実行し得る。Ｍは２以上の自然数であり、概して、Ｍ＝２である。各コンテナは、１つのオペレーティングシステムに対応し、Ｍ個のコンテナは、同時に動作可能であり、各コンテナは、１つのＷｉＦｉネットワークアクセスサービスに対応し、異なるコンテナが動作する場合、端末１００は、異なるオペレーティングシステムを使用し、異なるコンテナの動作中の異なるＷｉＦｉネットワークアクセスサービスのタスク及びデータは、互いから隔離されている、すなわち、各コンテナが独立したタスク及び独立したデータを有し、異なるコンテナは、互いに干渉しないタスク、及び、互いに干渉しないデータに対応する。異なるオペレーティングシステムの間の切り替え動作中、端末１００は、異なるコンテナの動作の間で切り替えを行う。異なるコンテナは互いから安全に隔離されている必要があり、それにより、いずれか２つの異なるコンテナの動作中に生成されるデータについての情報が互いに影響しないことを保証する。従って、各オペレーティングシステムの機密性が保証される。２つのオペレーティングシステムは、Ａｎｄｒｏｉｄ（登録商標）システム及びＷｉｎｄｏｗｓ（登録商標）システムなど、異なる種類のものであり得る、又は、デュアルＡｎｄｒｏｉｄ（登録商標）システムのような、同一の種類のものであり得る。デュアルＷｉＦｉコンカレンス（ｃｏｎｃｕｒｒｅｎｃｅ）を実装する、同一の種類の２つのオペレーティングシステムは、異なるカーネルを使用し得る、又は、同一のカーネルを使用し得るが、２つのシステム又は２つのコンテナにおいて、データは隔離され、ユーザ操作は特定の方式で隔離される。現在、デュアルコンテナインテリジェント端末が比較的広く適用されている。１つのオペレーティングシステムは、仕事用アプリケーションに対応し得て、他のオペレーティングシステムは、個人用アプリケーションに対応し得る。これにより、仕事用の情報と個人用の情報とが互いに干渉しないことを保証でき、それにより、機密性を保証する。本願において提供される方法は、少なくとも２つのコンテナが動作する端末に適用され得て、任意選択で、デュアルコンテナ端末に適用され得る。コンテナは、オペレーティングシステムプログラム又はアプリケーションプログラムと、オペレーティングシステムプログラム又はアプリケーションプログラムの実行コンポーネントとを共に保持するソフトウェアである。例えば、コンテナは、オペレーティングシステムプログラム若しくはアプリケーションプログラム、ライブラリ、及び、オペレーティングシステムプログラム若しくはアプリケーションプログラムの実行に必要な別のバイナリファイルを共に包含するように構成され、それにより、独立したオペレーティングシステム環境をオペレーティングシステムプログラム又はアプリケーションプログラムのために提供できる。概して、各ソフトウェアコンテナは、対応するオペレーティングシステムの少なくとも一部を含み得る。あるいは、各ソフトウェアコンテナは、オペレーティングシステムカーネルを含まないことがあり得て、この場合、コンテナは、仮想マシンより高速かつ柔軟であり得る。この実施形態において、１つのコンテナは、１つのオペレーティングシステムに対応し得て、２つのオペレーティングシステムは、互いから隔離され得て、それにより、２つオペレーティングシステムの動作は互いに干渉しない。
【００６３】
本願の各実施形態において言及されるコンテナは、対応するオペレーティングシステム（選択的に、オペレーティングシステムカーネルを含んでも含まなくてもよい）の少なくとも一部、対応するアプリケーションプログラム、対応するコンポーネント、対応するミドルウェア、又は、対応するデータベースのうちの１つ、又は、それらの組み合わせを含み得ることを理解されたい。例えば、メインＣＰＵによって実行されるソフトウェア機能エンティティとして、コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成され得る。
【００６４】
ＷｉＦｉ  ＣＰＵ１０４は、Ｍ個のコンテナのうちの第１コンテナが動作する場合、Ｎ個のＷｉＦｉアクセス回路のうちの第１ＷｉＦｉアクセス回路を使用することによって第１ＷｉＦｉネットワークにアクセスするように、及び、端末１００が第１コンテナの動作からＭ個のコンテナのうち第２コンテナの動作に切り替わるとき、Ｎ個のＷｉＦｉアクセス回路のうちの第２ＷｉＦｉアクセス回路を使用することによって第２ＷｉＦｉネットワークにアクセスするように構成される。少なくとも１つのプロセッサは更に、ＷｉＦｉ  ＣＰＵ１０４が第２ＷｉＦｉアクセス回路を使用することによって第２ＷｉＦｉネットワークにアクセスするとき、バックグラウンド実行方式で第１コンテナの実行を継続するように構成され、ＷｉＦｉ  ＣＰＵ１０４は更に、第１ＷｉＦｉアクセス回路を使用して第１ＷｉＦｉネットワークにアクセスすることを継続するように構成され、それにより、フォアグラウンドのオペレーティングシステムとバックグラウンドのオペレーティングシステムとの間の切り替え動作中にＷｉＦｉネットワーク接続が中断されないことを保証する。
【００６５】
任意選択で、ＷｉＦｉアクセス回路を使用して対応するＷｉＦｉネットワークにアクセスするとき、ＷｉＦｉ  ＣＰＵ１０４は、コンテナとＷｉＦｉアクセス回路との間の予め設定されたマッピング関係に従って、Ｎ個のＷｉＦｉアクセス回路のうちの第１コンテナに対応する第１ＷｉＦｉアクセス回路を使用することによって、第１ＷｉＦｉネットワークにアクセスし、Ｎ個のＷｉＦｉアクセス回路のうちの第２コンテナに対応する第２ＷｉＦｉアクセス回路を使用することによって、マッピング関係に従って第２ＷｉＦｉネットワークにアクセスする。加えて、Ｎ個のＷｉＦｉアクセス回路のうちの第１コンテナに対応する第１ＷｉＦｉアクセス回路を使用することによって第１ＷｉＦｉネットワークにアクセスするとき、ＷｉＦｉ  ＣＰＵ１０４は、第１ＷｉＦｉネットワークへのアクセスに関するチャネルリソーススケジューリング、媒体アクセス制御、又は、暗号化／復号化のうちの少なくとも１つを実行し、Ｎ個のＷｉＦｉアクセス回路のうちの第２コンテナに対応する第２ＷｉＦｉアクセス回路を使用することによって第２ＷｉＦｉネットワークにアクセスするとき、ＷｉＦｉ  ＣＰＵ１０４は、第２ＷｉＦｉネットワークへのアクセスに関するチャネルリソーススケジューリング、媒体アクセス制御、又は、暗号化／復号化のうちの少なくとも１つを実行する。
【００６６】
図１に示される端末の構造図に基づいて、添付図面を参照すると、端末が異なるオペレーティングシステムの間で切り替わるとき、フォアグラウンド及びバックグラウンドにおけるＷｉＦｉネットワーク接続のいずれも中断されないことを保証するための、本願の実施形態において提供される実装方法を以下で詳細に説明する。本願の実施形態において、オペレーティングシステム、又は、対応するコンテナの間の切り替え動作は、フォアグラウンド及びバックグラウンドの間のオペレーティングシステム又はコンテナの切り替え動作である。オペレーティングシステム又はコンテナは、バックグラウンドからフォアグラウンドに切り替えられ、元々フォアグラウンドで動作していたオペレーティングシステム又はコンテナはバックグラウンドに切り替えられる。そのような切り替え動作は、バックグラウンドで実行するオペレーティングシステムに対応するＷｉＦｉ接続の中断を引き起こさず、対応するＷｉＦｉデータ伝送は中断されず、それにより、ＷｉＦｉデュアルコネクティビティ及び同時データ伝送を実装する。オペレーティングシステム又はコンテナがフォアグラウンド動作状態にあるとき、ユーザインタフェース（ＵＩ）を使用することによって、オペレーティングシステム又はコンテナのデータ又はプロセスがユーザに表示され得る。オペレーティングシステム又はコンテナがバックグラウンド動作状態にあるとき、オペレーティングシステム又はコンテナのデータ又はプロセスは、ユーザインタフェースを使用することによってユーザに表示されない。
【００６７】
図２に示されるように、本願の実施形態において提供されるＷｉＦｉネットワークにアクセスするための方法の手順は以下の通りである。
【００６８】
段階２００：Ｍ個のコンテナのうちの第１コンテナが動作する場合、端末は、Ｎ個のＷｉＦｉアクセス回路のうちの第１ＷｉＦｉアクセス回路を使用することによって、第１ＷｉＦｉネットワークにアクセスする。
【００６９】
段階２０１：第１コンテナの動作からＭ個のコンテナのうちの第２コンテナの動作に切り替わるとき、端末は、Ｎ個のＷｉＦｉアクセス回路のうち第２ＷｉＦｉアクセス回路を使用することによって第２ＷｉＦｉネットワークにアクセスし、第１コンテナは、バックグラウンド実行方式で動作を継続し、端末は第１ＷｉＦｉアクセス回路を使用して第１ＷｉＦｉネットワークにアクセスすることを継続する。
【００７０】
上述の方法によれば、第２コンテナの動作に切り替わるとき、端末は、第２ＷｉＦｉアクセス回路を使用して第２ＷｉＦｉネットワークにアクセスする。第１ＷｉＦｉアクセス回路及び第２ＷｉＦｉアクセス回路は互い独立し、従って、端末はバックグラウンドで第１ＷｉＦｉアクセス回路を使用して第１ＷｉＦｉネットワークにアクセスすることを継続でき、サービスは中断されない。
【００７１】
特定の実装プロセスにおいて、端末は、コンテナとＷｉＦｉアクセス回路との間のマッピング関係を予め設定し、コンテナとＷｉＦｉアクセス回路との間の予め設定されたマッピング関係に従って、Ｎ個のＷｉＦｉアクセス回路のうち第１コンテナに対応する第１ＷｉＦｉアクセス回路を使用することによって、第１ＷｉＦｉネットワークにアクセスし、Ｎ個のＷｉＦｉアクセス回路のうち第２コンテナに対応する第２ＷｉＦｉアクセス回路を使用することによって、第２ＷｉＦｉネットワークにアクセスする。
【００７２】
図１に示される端末、及び、図２に示される方法に基づいて、図３を参照すると、本願の実施形態は更に、ＷｉＦｉネットワークにアクセスするための装置３００を提供する。装置３００は、同時に動作可能なＭ個のコンテナ３０１とＷｉＦｉモジュール３０２とを備える。各コンテナ３０１は、１つのＷｉＦｉネットワークアクセスサービスに対応し、異なるコンテナ３０１の動作中の異なるＷｉＦｉネットワークアクセスサービスのタスク及びデータは互いから隔離され、Ｍ個のコンテナ３０１は、第１コンテナ３０１−１及び第２コンテナ３０１−２を含む。
【００７３】
ＷｉＦｉモジュール３０２は、第１コンテナ３０１−１が動作するとき、第１ＷｉＦｉアクセス回路を使用することによって第１ＷｉＦｉネットワークにアクセスするように構成され、更に、装置３００が第１コンテナ３０１−１の動作から第２コンテナ３０１−２の動作に切り替わるとき、第２ＷｉＦｉアクセス回路を使用することによって、第２ＷｉＦｉネットワークにアクセスするように構成される。第１コンテナ３０１−１は更に、ＷｉＦｉモジュール３０２が第２ＷｉＦｉアクセス回路を使用することによって第２ＷｉＦｉネットワークにアクセスするとき、バックグラウンド実行方式で動作を継続するように構成され、ＷｉＦｉモジュール３０２は更に、第１ＷｉＦｉアクセス回路を使用して第１ＷｉＦｉネットワークにアクセスすることを継続するように構成され得る。
【００７４】
Ｍ及びＮは２以上の自然数である。好ましくは、ＭはＮに等しい。
【００７５】
任意選択で、ＷｉＦｉモジュール３０２は、コンテナとＷｉＦｉアクセス回路との間の予め設定されたマッピング関係に従って、第１コンテナ３０１−１に対応する第１ＷｉＦｉアクセス回路を使用することによって、第１ＷｉＦｉネットワークにアクセスするように構成される。
【００７６】
ＷｉＦｉモジュール３０２は更に、マッピング関係に従って、第２コンテナ３０１−２に対応する第２ＷｉＦｉアクセス回路を使用することによって、第２ＷｉＦｉネットワークにアクセスするように構成される。
【００７７】
任意選択で、ＷｉＦｉモジュール３０２は更に、第１コンテナ３０１‐１に対応する第１ＷｉＦｉアクセス回路を使用することによって、第１ＷｉＦｉネットワークにアクセスするとき、第１ＷｉＦｉネットワークへのアクセスに関する、チャネルリソーススケジューリング、媒体アクセス制御、又は、暗号化／復号化のうちの少なくとも１つを実行するように、及び、第２コンテナ３０１‐２に対応する第２ＷｉＦｉアクセス回路を使用することによって、第２ＷｉＦｉネットワークにアクセスするとき、第２ＷｉＦｉネットワークへのアクセスに関する、チャネルリソーススケジューリング、媒体アクセス制御、又は、暗号化／復号化のうちの少なくとも１つを実行するように構成される。
【００７８】
任意選択で、Ｍ個のコンテナ３０１の各々は、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【００７９】
本願の実施形態における、図１に示される端末、図２に示される方法、及び、図３に示される装置をより良く理解するために、以下では、図４Ａ及び図４Ｂに示される端末の内部構造スタックのより詳細な概略図を使用することによって、端末の実装を更に説明する。
【００８０】
図４Ａ及び図４Ｂに示されるように、端末４００は少なくとも２つのオペレーティングシステムを使用し得る。図４Ａ及び図４Ｂにおいて、２つのオペレーティングシステムＯＳ０及びＯＳ１が使用される例が説明のために使用される。各オペレーティングシステムについて、以下のモジュールが含まれる。ＷｉＦｉ設定モジュール４０１、ＡＰステートマシン４０２、局ピアツーピア（ＳＴＡ  Ｐ２Ｐ）ネットワークステートマシン４０３、インタフェース４０４、ネットワークアダプタマッチングモジュール４０５、暗号化ネットワークアクセス論理エンティティ４０６、ＷＬＡＮ０４０７、Ｐ２Ｐ０４０８、Ｐ２Ｐ４０９、スケジューリングモジュール４１０、ＷｉＦｉプロトコルスタック４１１及びＷｉＦｉアクセス回路４１２。
【００８１】
ＷｉＦｉ設定モジュール４０１は、通常はインテリジェント端末、すなわち、ユーザインタフェースソフトウェア上で使用されるＷｉＦｉ利用インタフェースであり、メインＣＰＵによって実行されるアプリケーションソフトウェアである。
【００８２】
ＡＰステートマシン４０２は、端末のインストールパッケージにおけるＡＰ起動状態の論理実装に使用され、メインＣＰＵ又はＷｉＦｉ  ＣＰＵによって実行されるソフトウェアであり、概してメインＣＰＵによって実行され、レポートを下層から受信し、ＷｉＦｉ（登録商標）ＡＰの接続状態若しくは中断状態、又は、接続信号強度などのアクセス状態を取得し、取得されたＷｉＦｉ（登録商標）ＡＰのアクセス状態をＷｉＦｉ設定モジュールへ送るように構成され、それにより、ＷｉＦｉ設定モジュール４０１は、ＷｉＦｉ（登録商標）ＡＰのアクセス状態をユーザインタフェース上で表示する。
【００８３】
局ピアツーピアネットワークステートマシン４０３は、端末のインストールパッケージにおけるＳＴＡ  Ｐ２Ｐ接続状態の論理実装に使用される。ＡＰステートマシンと同様に、ＳＴＡ  Ｐ２Ｐステートマシンは、Ｐ２Ｐポイントの状態、すなわち、ＷｉＦｉダイレクト送信におけるピアデバイスについての情報を取得するように構成され、メインＣＰＵ又はＷｉＦｉ  ＣＰＵによって実行されるソフトウェアであり、概して、メインＣＰＵによって実行される。
【００８４】
各オペレーティングシステムに対応するＷｉＦｉ設定モジュール４０１、ＡＰステートマシン４０２及びＳＴＡ  Ｐ２Ｐステートマシン４０３は、１つのコンテナに含まれ、メインＣＰＵによって実行されると考えられ得る。ＡＰステートマシン４０２及びＳＴＡ  Ｐ２Ｐステートマシン４０３は、ＷｉＦｉ（登録商標）ＡＰのアクセス状態及びＳＴＡ  Ｐ２Ｐの接続状態を維持及び管理することによって、ＷｉＦｉ部分の動作状態（ＷｉＦｉプロセッサ及びＷｉＦｉアクセス回路を含む）を認識し、それにより、関連する状態は、上層のＷｉＦｉ設定モジュール４０１へ好都合に送られ、ＷｉＦｉ設定モジュール４０１は対応する表示を実行できる。
【００８５】
インタフェース４０４は、インタフェース論理プロトコルスタックインタフェース層であり、上部と下部とを接続するための唯一のインタフェースである。
【００８６】
ネットワークアダプタマッチングモジュール４０５は、ネットワークアダプタバインディング、及び、呼び出されたネットワークインタフェースの分配のために使用される、すなわち、高層コンテナと、暗号化ネットワークアクセス論理エンティティ４０６、ＷＬＡＮ０４０７、Ｐ２Ｐ０４０８、Ｐ２Ｐ４０９、ＷｉＦｉプロトコルスタック４１１及びＷｉＦｉアクセス回路４１２などの最下層ソフトウェアモジュールとの間の対応関係を実装するために使用され、ＷｉＦｉ  ＣＰＵによって実行されるソフトウェアである。
【００８７】
暗号化ネットワークアクセス論理エンティティ４０６は、ＷｉＦｉ（登録商標）ＡＰモード暗号化／復号化ネットワークアクセス機能を実装し、ＷｉＦｉ  ＣＰＵによって実行されるソフトウェアである。
【００８８】
ＷＬＡＮ０４０７はＷＬＡＮ通信エンティティであり、ＷｉＦｉ  ＣＰＵによって実行されるソフトウェアであり、ＷＬＡＮ通信に必要な必須ソフトウェア機能を実装する。
【００８９】
Ｐ２Ｐ０４０８はＰ２Ｐ通信エンティティであり、ＷｉＦｉ  ＣＰＵによって実行されるソフトウェアであり、Ｐ２Ｐ通信に必要な必須ソフトウェア機能を実装する。
【００９０】
Ｐ２Ｐ４０９はＰ２Ｐスキャン機能であり、ＷｉＦｉ  ＣＰＵによって実行されるソフトウェアであり、Ｐ２Ｐスキャンに必要な必須ソフトウェア機能を実装する。
【００９１】
スケジューリングモジュール４１０は、１つのＷｉＦｉ  ＣＰＵに基づいて、２つの仮想アクセスポイントの間で、チャネルリソーススケジューリング及び同様のものを含むスケジューリングを実行するように構成される。
【００９２】
ＷｉＦｉプロトコルスタック４１１は、少なくとも２つの独立のＭＡＣを含む。図４Ａ及び図４Ｂにおいて、２つのＭＡＣは例として使用される。ＭＡＣは、ＷｉＦｉ  ＣＰＵによって実行されるソフトウェアであり得て、又は、当然ながら、ＷｉＦｉ  ＣＰＵソフトウェアの代わりに独立のＭＡＣハードウェアを使用することによって実装され得る。
【００９３】
ＷｉＦｉ  ＣＰＵによって実行されるソフトウェアは、ＷｉＦｉモジュールと総称され得て、選択的に、インタフェース４０４、ネットワークアダプタマッチングモジュール４０５、暗号化ネットワークアクセス論理エンティティ４０６、スケジューリングモジュール４１０及びＷｉＦｉプロトコルスタック４１１を含み得て、ＷＬＡＮ０４０７、Ｐ２Ｐ０４０８及びＰ２Ｐ４０９を更に含み得る。
【００９４】
少なくとも２つのＷｉＦｉアクセス回路４１２及びＷｉＦｉ  ＣＰＵはすべて、ＷｉＦｉチップに含まれ、少なくとも２つのＷｉＦｉアクセス回路４１２は、少なくとも２つの独立のＰＨＹ層、及び、少なくとも２つの無線周波数成分を含み得る。例えば、第１ＷｉＦｉアクセス回路及び第２ＷｉＦｉアクセス回路という２つのＷｉＦｉアクセス回路がある。ＷｉＦｉアクセス回路４１２は、集積回路を使用することによって実装され得る、すなわち、ＷｉＦｉ  ＣＰＵと、独立のＰＨＹ層及び無線周波数成分を含むＷｉＦｉアクセス回路とは、ＷｉＦｉチップに集積され得ることを理解されたい。このようにして、ＷｉＦｉアクセス回路及びＷｉＦｉ  ＣＰＵは、完全なプロセッサを形成し、プロセッサは、集積回路技術を使用することによって半導体チップに集積される。あるいは、ＷｉＦｉアクセス回路４１２は、独立のチップであり得て、ＷｉＦｉ  ＣＰＵとは別個に実装される。これは、本実施形態において限定されない。
【００９５】
具体的には、端末は、２つのオペレーティングシステム、ＯＳ０とＯＳ１との間で切り替わり得る。各オペレーティングシステムは１つのコンテナにおける動作に対応する。図４Ａ及び図４Ｂに示されるように、２つの対称部分がある。端末は、各部分に対応する仮想デバイスを動作させ得る、すなわち、各部分に対応するコンテナを動作させ得ると考えられ得る。２つのコンテナが端末において動作するときに使用されるチャネルの中央の周波数の間の差は、閾値より大きい必要があり、例えば、少なくとも２０ＭＨｚである必要がある。あるいは、２つのコンテナが動作する場合、端末は、同一のチャネルを使用し得る。
【００９６】
実際の適用プロセスにおいて、端末が起動するとき、ＯＳ０のＷＬＡＮ及びＰ２Ｐ、ＯＳ１のＷＬＡＮ及びＰ２Ｐ、ＯＳ０の暗号化エンティティ、及び、ＯＳ１の暗号化エンティティがデフォルトで起動する。
【００９７】
ＯＳ０が起動するとき、ＯＳ０のＡＰステートマシン４０２及びＳＴＡ  Ｐ２Ｐステートマシン４０３がネットワークアダプタマッチングモジュール４０５に対して登録を行い、ＯＳ０の対応する暗号化ネットワークアクセス論理エンティティ４０６に関連付けられ、それにより、対応する暗号化ネットワークアクセス論理エンティティ４０６への接続が確立される（当然ながら、ＯＳ１の暗号化ネットワークアクセス論理エンティティ４０６が取得され得て、その結果、ＯＳ１の対応する暗号化ネットワークアクセス論理エンティティ４０６への接続が確立される）。
【００９８】
ＯＳ１の起動プロセスは、ＯＳ０の上述の起動プロセスと同様であり、詳細はここでは再度説明しない。
【００９９】
ネットワークアダプタマッチングモジュール４０５は、暗号化ネットワークアクセス論理エンティティ４０６のインデックスと、ＯＳ０のＡＰステートマシン４０２及びＳＴＡ  Ｐ２Ｐステートマシン４０３のインデックスとを記憶し、暗号化ネットワークアクセス論理エンティティ４０６と、ＯＳ０のＡＰステートマシン４０２及びＳＴＡ  Ｐ２Ｐステートマシン４０３両方との間のステートマシン通信に使用される共有変数又はメッセージキューを記憶し、ネットワークアダプタマッチングモジュール４０５の各上層ステートマシンと、下層暗号化ネットワークアクセス論理エンティティ４０６との間の接続関係を記憶する必要がある。
【０１００】
ネイティブインタフェースの呼び出しは、暗号化ネットワークアクセス論理エンティティ４０６から各ステートマシンへのインタフェースの呼び出し、及び、各ステートマシンから暗号化ネットワークアクセス論理エンティティ４０６へのインタフェースの呼び出しを含み、ネットワークアダプタマッチングモジュール４０５は、漸増メッセージ機構又は別のプロセス通信機構を使用することによってネイティブインタフェースに適合する必要がある。
【０１０１】
終了ロジックは、上述の起動ロジックの反対であり、上述の起動ロジックを参照してよい。詳細はここでは説明しない。
【０１０２】
図１から図４Ａ及び図４Ｂにおいて提供される、ＷｉＦｉネットワークにアクセスするための端末、並びに、方法及び装置によれば、端末が異なるオペレーティングシステムの間で切り替わるとき、ＷｉＦｉネットワーク接続が中断されないことを保証でき、それにより、ＷｉＦｉネットワークアプリケーションはより安全になり、サービスはより円滑になり、ユーザエクスペリエンスが改善する。
【０１０３】
加えて、空港又はショッピングモールなどの公共の環境においては、複数のＷｉＦｉ（登録商標）ＡＰが配置されているので、端末を持ったユーザが１つのエリアから別のエリアへ移動するとき、端末は、１つのＷｉＦｉ（登録商標）ＡＰから別のＷｉＦｉ（登録商標）ＡＰへ切り替わる必要がある。この切り替えプロセスにおいて、サービス中断が生じ、ユーザエクスペリエンスが損なわれる。
【０１０４】
これを考慮して、図１に提供される端末構造に基づいて、本願の実施形態は、アクセスＷｉＦｉネットワーク及び別の端末のための別の方法及び装置を提供し、それにより、１個の端末を、２又はより多くの異なるＷｉＦｉ（登録商標）ＡＰに接続でき、ＷｉＦｉネットワークは２つのＷｉＦｉ（登録商標）ＡＰの間の切り替え動作中に中断されず、サービスはより円滑になり、ユーザエクスペリエンスが改善する。
【０１０５】
図１に提供される端末構造において、メインチップ１０１における少なくとも１つのプロセッサは、少なくとも２つのコンテナを形成するようにソフトウェアプログラムを動作させ得る。あるいは、当然ながら、メインチップ１０１における少なくとも１つのプロセッサは、１つのみのコンテナを形成するためにソフトウェアプログラムを実行し得る、すなわち、単一コンテナモードがサポートされる。同様に、単一のコンテナはまた、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成され得る。本願の実施形態における図５から図８Ａ及び図８Ｂにおいて説明される方法及び装置において言及される端末は、単一コンテナモードのためのものである。単一コンテナモードにおいて、２つのＷｉＦｉネットワークアクセス識別子は、ユーザインタフェース又はディスプレイ上に好都合に表示され得て、それにより、ユーザは、２つのＷｉＦｉネットワークの接続状態を好都合に認識でき、ユーザエクスペリエンスが改善する。
【０１０６】
図１に示される端末構造に基づいて、単一コンテナモードにおいて、端末１００におけるコンテナは、第１ＷｉＦｉネットワークアクセスサービス及び第２ＷｉＦｉネットワークアクセスサービスの両方をサポートする。ＷｉＦｉ  ＣＰＵ１０４は、第１ＷｉＦｉネットワークにアクセスするためのアクセス要求が受信されたとき、Ｎ個のＷｉＦｉアクセス回路のうち第１ＷｉＦｉアクセス回路を使用することによって第１ＷｉＦｉネットワークにアクセスするように、及び、第１ＷｉＦｉアクセス回路を使用して第１ＷｉＦｉネットワークにアクセスするという状況下で、第２ＷｉＦｉネットワークにアクセスするためのアクセス要求が受信された場合、Ｎ個のＷｉＦｉアクセス回路のうち第２ＷｉＦｉアクセス回路を使用することによって、第２ＷｉＦｉネットワークにアクセスするように構成される。メインチップ１０１に含まれる少なくとも１つのプロセッサは、第１ＷｉＦｉネットワークアクセス識別子及び第２ＷｉＦｉネットワークアクセス識別子を同期させて表示するように、コンテナに対応する表示インタフェースを駆動するように構成される。表示インタフェースについては、図６に示される概略図を参照されたい。第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。Ｎは２以上の自然数である。
【０１０７】
任意選択で、端末１００は更に、ディスプレイ１０８を備え得て、コンテナに対応する表示インタフェースは、ディスプレイ１０８上に表示される。
【０１０８】
メインチップ１０１における少なくとも１つのプロセッサは更に、第１ＷｉＦｉネットワークの接続信号強度及び第２ＷｉＦｉネットワークの接続信号強度を同期させて表示するように表示インタフェースを駆動するように構成される。
【０１０９】
任意選択で、ＷｉＦｉ  ＣＰＵ１０４は更に、第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。加えて、ＷｉＦｉ  ＣＰＵ１０４は更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【０１１０】
単一コンテナモードにおける端末１００に基づいて、図５を参照すると、本願の実施形態において提供される、ＷｉＦｉネットワークにアクセスするための別の方法の手順は以下の通りである。
【０１１１】
段階５００：端末が、第１ＷｉＦｉネットワークにアクセスするためのアクセス要求を受信したとき、Ｎ個のＷｉＦｉアクセス回路のうち第１ＷｉＦｉアクセス回路を使用することによって第１ＷｉＦｉネットワークにアクセスする。
【０１１２】
段階５０１：第１ＷｉＦｉアクセス回路を使用して第１ＷｉＦｉネットワークにアクセスするという状況下で、第２ＷｉＦｉネットワークにアクセスするためのアクセス要求を端末が受信した場合、端末は、Ｎ個のＷｉＦｉアクセス回路のうち第２ＷｉＦｉアクセス回路を使用することによって、第２ＷｉＦｉネットワークにアクセスする。
【０１１３】
Ｎは２以上の自然数である。
【０１１４】
端末は、第１ＷｉＦｉネットワーク及び第２ＷｉＦｉネットワークにアクセスした後に、第１ＷｉＦｉネットワークアクセス識別子及び第２ＷｉＦｉネットワークアクセス識別子を、表示インタフェース上で同期させて表示する。表示インタフェースは図６に示される。第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。
【０１１５】
更に、端末は、第１ＷｉＦｉネットワーク及び第２ＷｉＦｉネットワークにアクセスした後に、第１ＷｉＦｉネットワークの接続信号強度、及び、第２ＷｉＦｉネットワークの接続信号強度を表示インタフェース上で同期させて表示し得る。
【０１１６】
任意選択で、ＷｉＦｉネットワーク接続方式が端末のために事前に構成される。ＷｉＦｉネットワーク接続方式は、ユーザが、ＷｉＦｉネットワークを選択して、データサービスを搬送させるために使用される。例えば、ＷｉＦｉネットワーク接続方式は、好ましくは、強い信号を有するＷｉＦｉ（登録商標）ＡＰにアクセスすること、又は、複数のＷｉＦｉ（登録商標）ＡＰ（例えば、２つのＷｉＦｉ（登録商標）ＡＰ）に同時にアクセスすること、又は、指定されたＷｉＦｉ（登録商標）ＡＰにアクセスすること、又は同様のことを含む。端末は、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させる。具体的には、第１ＷｉＦｉネットワーク及び第２ＷｉＦｉネットワークにアクセスした後に、端末は、検出された、ユーザによって入力されたＷｉＦｉネットワーク接続方式に従って、第１ＷｉＦｉネットワーク及び第２ＷｉＦｉネットワークから、より高い接続信号強度を有するするＷｉＦｉネットワークを選択して、データサービスを搬送させる、又は、検出された、ユーザによって入力されたＷｉＦｉネットワーク接続方式に従って、ユーザによって指定されたＷｉＦｉネットワークを選択して、データサービスを搬送させる、又は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させる。
【０１１７】
ロードバランシングポリシーに従って、第１ＷｉＦｉネットワーク及び第２ＷｉＦｉネットワークを選択し、データサービスを共に搬送させることは、限定されないが、以下の複数の場合を含み得る。
【０１１８】
端末は、第１ＷｉＦｉネットワーク及び第２ＷｉＦｉネットワークのトラフィックバランシングポリシーに従って、第１ＷｉＦｉネットワーク及び第２ＷｉＦｉネットワークを使用してデータサービスを搬送する、又は、端末は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用してデータサービスを搬送する。
【０１１９】
図５に示される方法から、端末が１つのネットワークにアクセスしたとき、端末は、１つのネットワークアクセスサービスを維持しながら、別のネットワークに更にアクセスし得ることが分かる。２つのＷｉＦｉネットワークは、異なるＷｉＦｉアクセス回路を使用して動作し、従って、２つのＷｉＦｉネットワークが同時にオンライン状態になることを保証できる。上述の方式は、ＷｉＦｉデュアルスタンバイ方式とも称され得る。当然ながら、上述の方法は、２つより多くのＷｉＦｉネットワークが同時にオンライン状態になるように拡張される。このようにして、端末は２つのＷｉＦｉネットワークに同時に接続される場合、端末を保持するユーザが１つのエリアから別のエリアへ移動するとき、ＷｉＦｉネットワーク接続が中断されないことを保証でき、サービスが中断されないことを保証でき、ユーザエクスペリエンスを改善できる。
【０１２０】
図５に示される、ＷｉＦｉネットワークにアクセスするための方法に基づいて、図７を参照すると、本願の実施形態は更に、ＷｉＦｉネットワークにアクセスするための装置７００を提供する。装置７００は、第１ＷｉＦｉネットワークアクセスサービス及び第２ＷｉＦｉネットワークアクセスサービスの両方をサポートするコンテナ７０１、及び、ＷｉＦｉモジュール７０２を備える。コンテナ７０１は表示モジュール７０３を含む。
【０１２１】
ＷｉＦｉモジュール７０２は、ＷｉＦｉネットワークにアクセスするためのアクセス要求が受信されたとき、Ｎ個のＷｉＦｉアクセス回路のうち第１ＷｉＦｉアクセス回路を使用することによって第１ＷｉＦｉネットワークにアクセスするように構成され、更に、第１ＷｉＦｉアクセス回路を使用して第１ＷｉＦｉネットワークにアクセスするという状況下で、第２ＷｉＦｉネットワークにアクセスするためのアクセス要求が受信された場合、第２ＷｉＦｉアクセス回路を使用することによって、第２ＷｉＦｉネットワークにアクセスするように構成される。Ｎは２以上の自然数である。
【０１２２】
表示モジュール７０３は、ＷｉＦｉモジュールが第１ＷｉＦｉネットワーク及び第２ＷｉＦｉネットワークにアクセスした後に、コンテナに対応する表示インタフェース上に第１ＷｉＦｉネットワークアクセス識別子及び第２ＷｉＦｉネットワークアクセス識別子を同期させて表示するように構成される。第１ＷｉＦｉネットワークアクセス識別子は、第１ＷｉＦｉネットワークがアクセスされることを表し、第２ＷｉＦｉネットワークアクセス識別子は、第２ＷｉＦｉネットワークがアクセスされることを表す。
【０１２３】
任意選択で、表示モジュール７０３は更に、第１ＷｉＦｉネットワークの接続信号強度及び第２ＷｉＦｉネットワークの接続信号強度を表示インタフェースに同期させて表示するように構成される。
【０１２４】
任意選択で、装置７００又はコンテナ７０１は更に、サービス分配モジュール７０４を備える。サービス分配モジュール７０４は、オペレーティングシステムの一部であり得る、すなわち、コンテナ７０１は、サービス分配モジュール７０４を含み、又は、当然ながら、ＷｉＦｉ  ＣＰＵによって実行されるソフトウェアの一部であり得る。例えば、図７において、サービス分配モジュール７０４はコンテナ７０１に存在する。サービス分配モジュール７０４は、ＷｉＦｉモジュールが第１ＷｉＦｉネットワーク及び第２ＷｉＦｉネットワークにアクセスした後に、検出された、ユーザによって入力されたＷｉＦｉネットワーク接続方式に従って、第１ＷｉＦｉネットワーク又は第２ＷｉＦｉネットワークのうちの少なくとも１つを選択して、データサービスを搬送させるように構成される。
【０１２５】
具体的には、サービス分配モジュール７０４は、ユーザによって入力されたＷｉＦｉネットワーク接続方式を検出し、検出された、ユーザによって入力されたＷｉＦｉネットワーク接続方式に従って、第１ＷｉＦｉネットワーク及び第２ＷｉＦｉネットワークから、より高い接続信号強度を有するＷｉＦｉネットワークを選択して、データサービスを搬送させるように、又は、検出された、ユーザによって入力されたＷｉＦｉネットワーク接続方式に従って、ユーザによって指定されたＷｉＦｉネットワークを選択して、データサービスを搬送させるように、又は、検出された、ユーザによって入力されたＷｉＦｉネットワーク接続方式に従って、及び、ロードバランシングポリシーに従って、第１ＷｉＦｉネットワーク及び第２ＷｉＦｉネットワークを選択して、データサービスを共に搬送させるように構成される。
【０１２６】
サービス分配モジュール７０４は、第１ＷｉＦｉネットワーク及び第２ＷｉＦｉネットワークのトラフィックバランシングポリシーに従って、第１ＷｉＦｉネットワーク及び第２ＷｉＦｉネットワークを使用してデータサービスを搬送する、又は、第１ＷｉＦｉネットワーク及び第２ＷｉＦｉネットワークのサービス要求量バランシングポリシーに従って、第１ＷｉＦｉネットワーク及び第２ＷｉＦｉネットワークを使用してデータサービスを搬送する。
【０１２７】
任意選択で、ＷｉＦｉモジュール７０２は更に、第１ＷｉＦｉネットワーク及び第２ＷｉＦｉネットワークへのアクセスに関する、チャネルリソーススケジューリング、媒体アクセス制御、又は、暗号化／復号化のうちの少なくとも１つを実行するように構成される。
【０１２８】
任意選択で、コンテナ７０１は、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される。
【０１２９】
本願の実施形態における図５から図７に示される方法及び装置をより良く理解するべく、以下では更に、図８Ａ及び図８Ｂに示される端末の内部構造スタックのより詳細な概略図を使用することによって、端末の実装を説明する。
【０１３０】
図８Ａ及び図８Ｂに示されるように、端末８００は、ＷｉＦｉ設定モジュール８０１と、少なくとも２つのＡＰステートマシン８０２（図においては、２つのＡＰステートマシンが例として使用される）と、少なくとも２つのＳＴＡ  Ｐ２Ｐステートマシン８０３（図においては、２つのＳＴＡ  Ｐ２Ｐステートマシンが例として使用される）と、サービス分配モジュール８０４と、インタフェース８０５と、少なくとも２つの暗号化ネットワークアクセス論理エンティティ８０６（図においては、２つの暗号化ネットワークアクセス論理エンティティが例として使用される）と、少なくとも２つのＷＬＡＮ０  ８０７（図においては、２つのＷＬＡＮ０が例として使用される）と、少なくとも２つのＰ２Ｐ０  ８０８（図においては、２つのＰ２Ｐ０が例として使用される）と、少なくとも２つのＰ２Ｐ  ８０９（図においては、２つのＰ２Ｐが例として使用される）と、少なくとも２つのスケジューリングモジュール８１０と、ＷｉＦｉプロトコルスタック８１１（図においては、２つのＷｉＦｉプロトコルスタックが例として使用される）と、ＷｉＦｉアクセス回路８１２とを備える。ＷｉＦｉ設定モジュール８０１、少なくとも２つのＡＰステートマシン８０２、及び、少なくとも２つのＳＴＡ  Ｐ２Ｐステートマシン８０３は、１つのコンテナに含まれ得て、ＣＰＵによって実行され得る。任意選択で、サービス分配モジュール８０４はまた、コンテナに含まれる。あるいは、サービス分配モジュール８０４は、ＷｉＦｉ  ＣＰＵによって実行され得る。ＷｉＦｉ  ＣＰＵは更に、インタフェース８０５、少なくとも２つの暗号化ネットワークアクセス論理エンティティ８０６、少なくとも２つのＷＬＡＮ０  ８０７、少なくとも２つのＰ２Ｐ０  ８０８、少なくとも２つのＰ２Ｐ  ８０９、少なくとも２つのスケジューリングモジュール８１０、及び、ＷｉＦｉプロトコルスタック８１１を実行及び実装するように構成される。ＷｉＦｉ  ＣＰＵ及びＷｉＦｉアクセス回路８１２は、ＷｉＦｉチップに集積され得るか、又は、別個に実装され得る。
【０１３１】
図４Ａ及び図４Ｂにおけるモジュールと同一のモジュール名を有するモジュールはまた、図４Ａ及び図４Ｂにおけるモジュールと同一の機能を有し、詳細はここで再度説明しない。それとは別に、図８Ａ及び図８Ｂに示される端末８００は、１つのオペレーティングシステムを動作させ得る、すなわち、単一コンテナモードで動作し得る。従って、１つのＷｉＦｉ設定モジュール８０１が図８Ａ及び図８Ｂに含まれる、すなわち、１つのオペレーティングシステムの設定インタフェースを使用することによって設定が実行される。同様に、図８Ａ及び図８Ｂから分かるように、端末８００は、１つのＣＰＵを共有する２つのチャネルを有すると考えられ得ることが分かる。１つのチャネルは、１つのＷｉＦｉネットワークへのアクセスに対応し得て、端末８００の単一のコンテナは、チャネルのいずれかを使用し得て、適切なソフトウェア設計に従って同時に２つのチャネルを使用するとき、端末８００を２つのＷｉＦｉネットワークに同時に接続できる、すなわち、ＷｉＦｉデュアルスタンバイ機能を実装する。同様に、２つより多くのチャネルを有する端末は、ＷｉＦｉマルチスタンバイ機能を実装できる。この実施形態において、２つのチャネルは例として使用され、保護範囲を限定することを意図するものではない。
【０１３２】
サービス分配モジュール８０４は、図７におけるサービス分配モジュール７０４によって実行される機能を実行するように構成される。本願のこの実施形態において、端末は、追加されたサービス分配モジュールを使用することによって、１つのオペレーティングシステムにおいて、異なるサービスのために異なるＷｉＦｉアクセス回路を使用し得て、それにより、複数のＷｉＦｉネットワークが複数のサービスに使用されるコンカレント機能が実装され、１個の端末を２又はより多くの異なるＷｉＦｉ（登録商標）ＡＰに同時に接続できる、すなわち、ＷｉＦｉデュアルスタンバイ又はマルチスタンバイ機能が実装される。加えて、新しいインタフェース方式が提供され、それにより、少なくとも２つのＷｉＦｉ識別子を端末の表示インタフェース上に表示でき、ＷｉＦｉデュアルスタンバイディスプレイ又はマルチスタンバイディスプレイの表示方式が実装される。
【０１３３】
当業者であれば、本願の実施形態が方法、システム、又は、コンピュータプログラム製品として提供され得ることを理解するであろう。従って、本願において設計された方法における内容の一部は、ソフトウェアを使用することによって、又は、ソフトウェア及びハードウェアの組み合わせを伴う実施形態の形式で実装され得る。更に、本願は、コンピュータ使用可能プログラムコードを含む、１又は複数のコンピュータ使用可能ストレージ媒体（限定されないが、ディスクメモリ、ＣＤ−ＲＯＭ、光学メモリ、及び、同様のものを含む）上に実装されるコンピュータプログラム製品の形式を使用し得る。例えば、メインＣＰＵ又はＷｉＦｉ  ＣＰＵによって実行される、オペレーティングシステムプログラム、又は、コンテナソフトウェア、又は、ＷｉＦｉ  ＣＰＵに必要な必須ソフトウェアなどのソフトウェア主導プログラムは、ストレージ媒体に記憶され得て、対応するプロセッサによって実行され得る。
【０１３４】
本願は、本願の実施形態に係る方法、デバイス（システム）及びコンピュータプログラム製品のフローチャート及び／又はブロック図を参照して説明される。コンピュータプログラム命令は、フローチャート及び／又はブロック図における各プロセス及び／又は各ブロックと、フローチャート及び／又はブロック図におけるプロセス及び／又はブロックの組み合わせを実装するために使用され得ることを理解されたい。これらのコンピュータプログラム命令は、汎用コンピュータ、専用コンピュータ、組み込みプロセッサ、又は任意の他のプログラム可能なデータ処理デバイスのプロセッサに提供されて機械を形成し得て、その結果、コンピュータ又は任意の他のプログラム可能なデータ処理デバイスのプロセッサによって実行される命令は、フローチャートにおける１又は複数のプロセス及び／又はブロック図における１又は複数のブロックの特定の機能を実装する装置を生成する。
【０１３５】
これらのコンピュータプログラム命令は、コンピュータ可読メモリに記憶され得て、コンピュータ又は任意の他のプログラム可能なデータ処理デバイスに特定の方式で動作するように命令することができ、これにより、コンピュータ可読メモリに記憶された命令は、命令装置を含むアーティファクトを生み出す。命令装置は、フローチャートにおける１若しくは複数のプロセス、及び／又は、ブロック図における１若しくは複数のブロックの特定の機能を実装する。
【０１３６】
これらのコンピュータプログラム命令は、コンピュータ又は別のプログラム可能データ処理デバイス上にロードされ得て、その結果、一連の動作及び段階が、コンピュータ又は別のプログラム可能デバイスにおいて実行され、これにより、コンピュータ実装処理が生み出される。従って、コンピュータ又は別のプログラム可能デバイスにおいて実行された命令は、フローチャートの１又は複数のプロセス、及び／又はブロック図の１又は複数のブロックにおける特定の機能を実装するための段階を提供する。
【０１３７】
本願のいくつかの好ましい実施形態を説明したが、当業者であれば、基本的な発明の概念を知れば、これらの実施形態に変更及び修正を加えることができる。従って、以下の特許請求の範囲は、好ましい実施形態、並びに、本願の範囲内に属するすべての変更及び修正を包含するように解釈されることを意図している。
【０１３８】
当然ながら、当業者であれば、本願の実施形態の範囲から逸脱することなく、本願の実施形態に様々な修正及び変更を加えることができる。本願は、以下の特許請求の範囲及びそれらの均等技術によって定義される保護の範囲内に属していれば、これらの修正及び変更を包含することが意図されている。
（項目１）
ワイヤレスフィデリティＷｉＦｉネットワークにアクセスするための方法であって、
上記方法は端末に適用され、上記端末は、Ｎ個のＷｉＦｉアクセス回路及び少なくとも１つのプロセッサを有し、上記少なくとも１つのプロセッサは、Ｍ個のコンテナを形成するためにソフトウェアプログラムを実行するように構成され、各コンテナは、１つのＷｉＦｉネットワークアクセスサービスに対応し、上記Ｍ個のコンテナは、同時に動作可能であり、異なるコンテナの動作中の異なるＷｉＦｉネットワークアクセスサービスのタスク及びデータは互いから隔離され、上記方法は、
上記Ｍ個のコンテナのうち第１コンテナが動作する場合、上記端末が、上記Ｎ個のＷｉＦｉアクセス回路のうち第１ＷｉＦｉアクセス回路を使用することによって、第１ＷｉＦｉネットワークにアクセスする段階と、
上記端末が、上記第１コンテナの動作から、上記Ｍ個のコンテナのうち第２コンテナの動作に切り替わるとき、上記端末が、上記Ｎ個のＷｉＦｉアクセス回路のうち第２ＷｉＦｉアクセス回路を使用することによって、第２ＷｉＦｉネットワークにアクセスする段階であって、上記第１コンテナはバックグラウンド実行方式で動作を継続し、上記端末は、上記第１ＷｉＦｉアクセス回路を使用して上記第１ＷｉＦｉネットワークにアクセスすることを継続する、段階と
を備え、
Ｍ及びＮは２以上の自然数である、
方法。
（項目２）
第１コンテナが動作する場合、上記端末が、上記Ｎ個のＷｉＦｉアクセス回路のうち第１ＷｉＦｉアクセス回路を使用することによって第１ＷｉＦｉネットワークにアクセスする上記段階は、
上記端末が、コンテナとＷｉＦｉアクセス回路との間の予め設定されたマッピング関係に従って、上記Ｎ個のＷｉＦｉアクセス回路のうち上記第１コンテナに対応する上記第１ＷｉＦｉアクセス回路を使用することによって、上記第１ＷｉＦｉネットワークにアクセスする段階
を含み、
上記端末が上記第２コンテナの動作に切り替わるとき、上記端末が、上記Ｎ個のＷｉＦｉアクセス回路のうち第２ＷｉＦｉアクセス回路を使用することによって第２ＷｉＦｉネットワークにアクセスする上記段階は、
上記端末が、上記マッピング関係に従って、上記Ｎ個のＷｉＦｉアクセス回路のうち上記第２コンテナに対応する上記第２ＷｉＦｉアクセス回路を使用することによって、上記第２ＷｉＦｉネットワークにアクセスする段階
を含む、
項目１に記載の方法。
（項目３）
上記端末は更に、ＷｉＦｉプロセッサを備え、
上記端末が、コンテナとＷｉＦｉアクセス回路との間の予め設定されたマッピング関係に従って、上記Ｎ個のＷｉＦｉアクセス回路のうち上記第１コンテナに対応する上記第１ＷｉＦｉアクセス回路を使用することによって、上記第１ＷｉＦｉネットワークにアクセスする上記段階は、
上記端末の上記ＷｉＦｉプロセッサが、コンテナとＷｉＦｉアクセス回路との間の上記予め設定されたマッピング関係に従って、上記Ｎ個のＷｉＦｉアクセス回路のうち上記第１コンテナに対応する上記第１ＷｉＦｉアクセス回路を使用することによって、上記第１ＷｉＦｉネットワークにアクセスする段階
を含み、
上記端末が、上記マッピング関係に従って、上記Ｎ個のＷｉＦｉアクセス回路のうち上記第２コンテナに対応する上記第２ＷｉＦｉアクセス回路を使用することによって、上記第２ＷｉＦｉネットワークにアクセスする上記段階は、
上記端末の上記ＷｉＦｉプロセッサが、上記マッピング関係に従って、上記Ｎ個のＷｉＦｉアクセス回路のうち上記第２コンテナに対応する上記第２ＷｉＦｉアクセス回路を使用することによって、上記第２ＷｉＦｉネットワークにアクセスする段階
を含む、
項目２に記載の方法。
（項目４）
上記Ｎ個のＷｉＦｉアクセス回路のうち上記第１コンテナに対応する上記第１ＷｉＦｉアクセス回路を使用することによって、上記第１ＷｉＦｉネットワークがアクセスされるとき、上記方法は更に、
上記端末の上記ＷｉＦｉプロセッサが、上記第１ＷｉＦｉネットワークへのアクセスに関する、チャネルリソーススケジューリング、媒体アクセス制御又は暗号化／復号化のうちの少なくとも１つを実行する段階を備え、
上記Ｎ個のＷｉＦｉアクセス回路のうち上記第２コンテナに対応する上記第２ＷｉＦｉアクセス回路を使用することによって、上記第２ＷｉＦｉネットワークがアクセスされるとき、上記方法は更に、上記端末の上記ＷｉＦｉプロセッサが、上記第２ＷｉＦｉネットワークへのアクセスに関する、チャネルリソーススケジューリング、媒体アクセス制御又は暗号化／復号化のうちの少なくとも１つを実行する段階を備える、
項目３に記載の方法。
（項目５）
各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、項目１から４のいずれか一項に記載の方法。
（項目６）
Ｍ及びＮの両方は２に等しい、項目１から５のいずれか一項に記載の方法。
（項目７）
ＷｉＦｉネットワークにアクセスするための方法であって、上記方法は端末に適用され、上記端末は、Ｎ個のＷｉＦｉアクセス回路及び少なくとも１つのプロセッサを備え、上記少なくとも１つのプロセッサは、コンテナを形成するためにソフトウェアプログラムを実行するように構成され、上記コンテナは、第１ＷｉＦｉネットワークへのアクセスサービス及び第２ＷｉＦｉネットワークへのアクセスサービスの両方をサポートし、上記方法は、
上記端末が、上記第１ＷｉＦｉネットワークにアクセスするためのアクセス要求を受信したとき、上記Ｎ個のＷｉＦｉアクセス回路のうち第１ＷｉＦｉアクセス回路を使用することによって、上記第１ＷｉＦｉネットワークにアクセスする段階と、
上記第１ＷｉＦｉアクセス回路を使用して上記第１ＷｉＦｉネットワークにアクセスするという状況下で、上記端末が、上記第２ＷｉＦｉネットワークにアクセスするためのアクセス要求を受信した場合、上記端末が、上記Ｎ個のＷｉＦｉアクセス回路のうち第２ＷｉＦｉアクセス回路を使用することによって、上記第２ＷｉＦｉネットワークにアクセスする段階と、
上記端末が、第１ＷｉＦｉネットワークアクセス識別子及び第２ＷｉＦｉネットワークアクセス識別子を、上記コンテナに対応する表示インタフェースに同期させて表示させる段階であって、上記第１ＷｉＦｉネットワークアクセス識別子は、上記第１ＷｉＦｉネットワークがアクセスされることを表し、上記第２ＷｉＦｉネットワークアクセス識別子は、上記第２ＷｉＦｉネットワークがアクセスされることを表す、段階と
を備え、
Ｎは２以上の自然数である、
方法。
（項目８）
上記端末が、上記第１ＷｉＦｉネットワークの接続信号強度、及び、上記第２ＷｉＦｉネットワークの接続信号強度を上記表示インタフェースに同期させて表示する段階を更に備える、項目７に記載の方法。
（項目９）
上記端末が、上記第１ＷｉＦｉネットワーク及び上記第２ＷｉＦｉネットワークにアクセスする上記段階の後に、上記方法は更に、
上記端末が、検出された、ユーザによって入力されたＷｉＦｉネットワーク接続方式に従って、上記第１ＷｉＦｉネットワーク又は上記第２ＷｉＦｉネットワークのうちの少なくとも１つを選択して、データサービスを搬送させる段階
を備える、項目７又は８に記載の方法。
（項目１０）
上記端末は更にＷｉＦｉプロセッサを備え、上記方法は更に、
上記端末の上記ＷｉＦｉプロセッサが、上記第１ＷｉＦｉネットワーク及び上記第２ＷｉＦｉネットワークへのアクセスに関する、チャネルリソーススケジューリング、媒体アクセス制御、又は、暗号化／復号化のうちの少なくとも１つを実行する段階
を備える、項目７から９のいずれか一項に記載の方法。
（項目１１）
上記コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、項目７から１０のいずれか一項に記載の方法。
（項目１２）
ワイヤレスフィデリティＷｉＦｉネットワークにアクセスするための装置であって、
上記装置は、同時に動作可能なＭ個のコンテナ及びＷｉＦｉモジュールを備え、各コンテナは、１つのＷｉＦｉネットワークアクセスサービスに対応し、異なるコンテナの動作中の異なるＷｉＦｉネットワークアクセスサービスのタスク及びデータは互いから隔離され、上記Ｍ個のコンテナは第１コンテナ及び第２コンテナを含み、
上記ＷｉＦｉモジュールは、上記第１コンテナが動作する場合、第１ＷｉＦｉアクセス回路を使用することによって第１ＷｉＦｉネットワークにアクセスするように構成され、更に、上記装置が上記第１コンテナの動作から、上記第２コンテナの動作に切り替わるとき、上記第２ＷｉＦｉアクセス回路を使用することによって、第２ＷｉＦｉネットワークにアクセスするように構成され、
上記第１コンテナは更に、上記ＷｉＦｉモジュールが、上記第２ＷｉＦｉアクセス回路を使用することによって、上記第２ＷｉＦｉネットワークにアクセスするとき、バックグラウンド実行方式で動作を継続するように構成され、上記ＷｉＦｉモジュールは更に、上記第１ＷｉＦｉアクセス回路を使用して上記第１ＷｉＦｉネットワークにアクセスすることを継続するように構成され、
Ｍ及びＮは、２以上の自然数である、
装置。
（項目１３）
上記ＷｉＦｉモジュールは、コンテナとＷｉＦｉアクセス回路との間の予め設定されたマッピング関係に従って、上記第１コンテナに対応する上記第１ＷｉＦｉアクセス回路を使用することによって、上記第１ＷｉＦｉネットワークにアクセスし、上記マッピング関係に従って、上記第２コンテナに対応する上記第２ＷｉＦｉアクセス回路を使用することによって、上記第２ＷｉＦｉネットワークにアクセスするように構成される、項目１２に記載の装置。
（項目１４）
上記ＷｉＦｉモジュールは更に、
上記第１コンテナに対応する上記第１ＷｉＦｉアクセス回路を使用することによって、上記第１ＷｉＦｉネットワークにアクセスするとき、上記第１ＷｉＦｉネットワークへのアクセスに関する、チャネルリソーススケジューリング、媒体アクセス制御、又は、暗号化／復号化のうちの少なくとも１つを実行するように、及び、
上記第２コンテナに対応する上記第２ＷｉＦｉアクセス回路を使用することによって、上記第２ＷｉＦｉネットワークにアクセスするとき、上記第２ＷｉＦｉネットワークへのアクセスに関する、チャネルリソーススケジューリング、媒体アクセス制御、又は、暗号化／復号化のうちの少なくとも１つを実行するように
構成される、項目１３に記載の装置。
（項目１５）
各コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、項目１２から１４のいずれか一項に記載の装置。
（項目１６）
ワイヤレスフィデリティＷｉＦｉネットワークにアクセスするための装置であって、上記装置は、第１ＷｉＦｉネットワークへのアクセスサービス及び第２ＷｉＦｉネットワークへのアクセスサービスの両方をサポートするコンテナと、ＷｉＦｉモジュールとを備え、上記コンテナは表示モジュールを含み、
上記ＷｉＦｉモジュールは、上記第１ＷｉＦｉネットワークにアクセスするためのアクセス要求が受信されたとき、第１ＷｉＦｉアクセス回路を使用することによって上記第１ＷｉＦｉネットワークにアクセスするように構成され、更に、上記第１ＷｉＦｉアクセス回路を使用して上記第１ＷｉＦｉネットワークにアクセスするという状況下で、上記第２ＷｉＦｉネットワークにアクセスするためのアクセス要求が受信されたとき、上記第２ＷｉＦｉアクセス回路を使用することによって上記第２ＷｉＦｉネットワークにアクセスするように構成され、
上記表示モジュールは、上記ＷｉＦｉモジュールが上記第１ＷｉＦｉネットワーク及び上記第２ＷｉＦｉネットワークにアクセスした後に、第１ＷｉＦｉネットワークアクセス識別子及び第２ＷｉＦｉネットワークアクセス識別子を、上記コンテナに対応する表示インタフェースに同期させて表示するように構成され、上記第１ＷｉＦｉネットワークアクセス識別子は、上記第１ＷｉＦｉネットワークがアクセスされることを表し、上記第２ＷｉＦｉネットワークアクセス識別子は、上記第２ＷｉＦｉネットワークがアクセスされることを表す、
装置。
（項目１７）
上記表示モジュールは更に、上記第１ＷｉＦｉネットワークの接続信号強度及び上記第２ＷｉＦｉネットワークの接続信号強度を上記表示インタフェースに同期させて表示するように構成される、項目１６に記載の装置。
（項目１８）
上記装置又は上記コンテナは更に、サービス分配モジュールを含み、上記サービス分配モジュールは、上記ＷｉＦｉモジュールが上記第１ＷｉＦｉネットワーク及び上記第２ＷｉＦｉネットワークにアクセスした後に、検出された、ユーザによって入力されたＷｉＦｉネットワーク接続方式に従って、上記第１ＷｉＦｉネットワーク又は上記第２ＷｉＦｉネットワークのうちの少なくとも１つを選択して、データサービスを搬送させるように構成される、項目１６又は１７に記載の装置。
（項目１９）
上記ＷｉＦｉモジュールは更に、上記第１ＷｉＦｉネットワーク及び上記第２ＷｉＦｉネットワークへのアクセスに関する、チャネルリソーススケジューリング、媒体アクセス制御、又は、暗号化／復号化のうちの少なくとも１つを実行するように構成される、項目１６、１７又は１８のいずれか一項に記載の装置。
（項目２０）
上記コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、項目１６から１９のいずれか一項に記載の装置。
【国際調査報告】
2019520726.tif 000013
2019520726.tif 000014
2019520726.tif 000015
2019520726.tif 000016
2019520726.tif 000017
2019520726.tif 000018